(57)【特許請求の範囲】
【請求項１】
折畳みアームが、間隔を隔てて平行に形成した直線状のＩ字アーム（Ｉ１，Ｉ２）であって、
当該Ｉ字アーム（Ｉ１，Ｉ２）の前端部にローラ支持枠（Ｆ１）を取り付け、
当該ローラ支持枠（Ｆ１）に出隅キャンバス（Ｇ１）を巻き取ったり、巻き戻す巻取りローラ（Ｊ１〜Ｊ３）を軸受支持し、
壁側には、内側面に案内溝（２１５）を形成した横行案内枠（Ｋ１）を取り付け、
当該横行案内枠（Ｋ１）には、フレーム本体（２２１）の先後位置に小車輪（２３１）を備えたスライダー（２２）を組み込み、
前記案内溝（２１５）に水平回転する小車輪（２３１）を組み込むことにより、前記スライダー（２２）が横行案内枠（Ｋ１）に沿って転動しながら横行スライドするようにし、
当該スライダー（２２）のフレーム本体（２２１）に形成したキャンバス嵌合溝（２２３）に、前記出隅キャンバス（Ｇ１）のキャンバス頂部（１）を取り付け、
当該出隅キャンバス（Ｇ１）を前記巻取りローラ（Ｊ１〜Ｊ３）に巻き取ったり、巻き戻すことにより、ローラ支持枠（Ｆ１）が斜めの方向に平行移動し、
キャンバス頂部（１）のスライダー（２２）が、横行案内枠（Ｋ１）の先後いずれかの方向へスライドするように構成したことを特徴とする可動オーニング装置（Ｓ１ａ）。
【請求項２】
折畳みアームが、２段階動作で平行回転する一対のＬ字アーム（Ｌ１，Ｌ２）であって、
当該Ｌ字アーム（Ｌ１，Ｌ２）を、折れ曲げ自在に連結した後部リンク（２７１）と前部リンク（２７２）とで形成し、
その二つ折れ連結部を連接ロッド（２７３）で連結してリンク構成し、
当該Ｌ字アーム（Ｌ１，Ｌ２）における前部リンク（２７２）の前端部にローラ支持枠（Ｆ１）を取り付け、
当該ローラ支持枠（Ｆ１）に出隅キャンバス（Ｇ１）を巻き取ったり、巻き戻す巻取りローラ（Ｊ１〜Ｊ３）を軸受支持し、
壁側には、内側面に案内溝（２１５）を形成した横行案内枠（Ｋ１）を取り付け、
当該横行案内枠（Ｋ１）には、フレーム本体（２２１）の先後位置に小車輪（２３１）を備えたスライダー（２２）を組み込み、
前記案内溝（２１５）に水平回転する小車輪（２３１）を組み込むことにより、前記スライダー（２２）が横行案内枠（Ｋ１）に沿って転動しながら横行スライドするようにし、
当該スライダー（２２）のフレーム本体（２２１）に形成したキャンバス嵌合溝（２２３）に、前記出隅キャンバス（Ｇ１）のキャンバス頂部（１）を取り付、
当該出隅キャンバス（Ｇ１）を前記巻取りローラ（Ｊ１，Ｊ２）に巻き取ったり、巻き戻すことにより、
前記Ｌ字アーム（Ｌ１，Ｌ２）が２段階の屈伸動作をすることで、ローラ支持枠（Ｆ１）が斜めの方向に平行移動し、
キャンバス頂部（１）のスライダー（２２）が、横行案内枠（Ｋ１）の先後いずれかの方向へスライドするように構成したことを特徴とする可動オーニング装置（Ｓ１ｂ）。
【請求項３】
折畳みアームが、後部リンク（２５１）と前部リンク（２５２）を二つ折れ自在に連結したＶ字アーム（Ｖ１，Ｖ２）であって、
当該Ｖ字アーム（Ｖ１，Ｖ２）における前部リンク（２５２）の前端部にローラ支持枠（Ｆ１）を取り付け、
当該ローラ支持枠（Ｆ１）に出隅キャンバス（Ｇ１）を巻き取ったり、巻き戻す巻取りローラ（Ｊ１〜Ｊ３）を軸受支持し、
壁側に設けた横行案内枠（Ｋ１）にスライダー（２２）を取り付け、
当該スライダー（２２）に前記出隅キャンバス（Ｇ１）のキャンバス頂部（１）を取り付け、
当該出隅キャンバス（Ｇ１）を、前記Ｖ字アーム（Ｖ１，Ｖ２）が先後対称に折り曲げられた状態のときに、前記巻取りローラ（Ｊ１，Ｊ２）に巻き取ったり、巻き戻すことにより、前記ローラ支持枠（Ｆ１）が前後方向へ平行移動し、
前方へ展開した出隅キャンバス（Ｇ１）のローラ支持枠（Ｆ１）を横行操作することにより、キャンバス頂部（１）のスライダー（２２）が、横行案内枠（Ｋ１）の先後いずれかの方向へスライドするように構成したことを特徴とする可動オーニング装置（Ｓ２ａ，Ｓ２ｂ）。
【請求項４】
巻取りローラ（Ｊ１，Ｊ２）に巻き取った出隅キャンバス（Ｇ１）を、巻き戻して展開し、Ｖ字アーム（Ｖ１，Ｖ２）が先後対称に折り曲げられた段階で、
前記巻取りローラ（Ｊ１，Ｊ２）のローラ支持枠（Ｆ１）をコーナー空間部へ向けて横行操作することにより、キャンバス頂部（１）のスライダー（２２）が横行案内枠（Ｋ１）に沿って前進スライドし、
前記コーナー空間部を含む建物外回りに出隅キャンバス（Ｇ１）を張り出してなる請求項３に記載の可動オーニング装置（Ｓ２ａ，Ｓ２ｂ）。
【請求項５】
コーナー空間部に張り出した出隅キャンバス（Ｇ１）の展開状態を維持したまま、
巻取りローラ（Ｊ１，Ｊ２）とそのローラ支持枠（Ｆ１）を装置後方へ向けて横行操作することにより、
キャンバス頂部（１）のスライダー（２２）を横行案内枠（Ｋ１）の後方へ後退スライドし、
Ｖ字アーム（Ｖ１，Ｖ２）が先後対称に折り曲げられた段階で、
展開した出隅キャンバス（Ｇ１）を巻取りローラ（Ｊ１，Ｊ２）に巻き取るようにしてなる請求項３に記載の可動オーニング装置（Ｓ２ａ，Ｓ２ｂ）。
【請求項６】
折畳みアーム（Ｖ１，Ｖ２、Ｙ１，Ｖ２）の前端部に横行案内レール（Ｒ１）を取り付け、当該案内レール（Ｒ１）にローラ支持枠（Ｆ１ａ）をスライド自在に取り付け、
当該ローラ支持枠（Ｆ１ａ）に出隅キャンバス（Ｇ１）を巻き取ったり、巻き戻す巻取りローラ（Ｊ１〜Ｊ３）を軸受支持し、
壁側に設けた横行案内枠（Ｋ１）にスライダー（２２）を取り付け、
当該スライダー（２２）に前記出隅キャンバス（Ｇ１）の頂部（１）を取り付けたことを特徴とする可動オーニング装置（Ｓ３ａ，Ｓ３ｂ）。
【請求項７】
折畳みアームが、後部リンク（２５１）と前部リンク（２５２）を二つ折れ自在に連結したＶ字アーム（Ｖ１，Ｖ２）であって、
出隅キャンバス（Ｇ１）を巻取りローラ（Ｊ１〜Ｊ３）に巻き取ったり、巻き戻すことにより、ローラ支持枠（Ｆ１ａ）が前後方向へ平行移動し、
展開した出隅キャンバス（Ｇ１）のローラ支持枠（Ｆ１ａ）を、横行案内レール（Ｒ１）に沿ってスライド操作することにより、
キャンバス頂部（１）のスライダー（２２）が、横行案内枠（Ｋ１）の先後いずれかの方向へスライドするように構成してなる請求項６に記載の可動オーニング装置（Ｓ３ａ）。
【請求項８】
Ｖ字アーム（Ｖ１，Ｖ２）の基端部を、横行案内枠（Ｋ１）の先端付近と中間付近の下部位置に取り付け、
そのアーム前端部を横行案内レール（Ｒ１）の先後両端付近に取り付けてなる請求項７に記載の可動オーニング装置（Ｓ３ａ）。
【請求項９】
巻取りローラ（Ｊ１〜Ｊ３）に巻き取った出隅キャンバス（Ｇ１）を、巻き戻して展開した上で、横行案内枠（Ｋ１）と横行案内レール（Ｒ１）に沿って前進スライドすることにより、コーナー空間部へ張り出してなる請求項６又は７に記載の可動オーニング装置（Ｓ３ａ）。
【請求項１０】
コーナー空間部に張り出した出隅キャンバス（Ｇ１）を、その展開状態を維持したまま横行案内枠（Ｋ１）と横行案内レール（Ｒ１）に沿って後退スライドした上で、巻取りローラ（Ｊ１〜Ｊ３）に巻き取るように構成してなる請求項７に記載の可動オーニング装置（Ｓ３ａ）。
【請求項１１】
折畳みアームが、主リンク（２９１）と副リンク（２９２）を逆ｙ字状にリンク構成したＹ字アーム（Ｙ１）と、後部リンク（２５１）と前部リンク（２５２）を二つ折れ自在に連結したＶ字アーム（Ｖ２）とからなり、
出隅キャンバス（Ｇ１）を巻取りローラ（Ｊ１〜Ｊ３）に巻き取ったり、巻き戻すことにより、ローラ支持枠（Ｆ１ａ）が斜めの方向へ平行移動し、
キャンバス頂部（１）のスライダー（２２）が、横行案内枠（Ｋ１）の先後いずれかの方向へスライドするように構成してなる請求項６に記載の可動オーニング装置（Ｓ３ｂ）。
【請求項１２】
Ｙ字アーム（Ｙ１）の主リンク（２９１）の基端部を出隅部（Ｎ１）のコーナー付近に取り付け、その前端部をローラ支持枠（Ｆ１ａ）の中間付近に取り付け、
Ｙアーム（Ｙ１）の副リンク（２９２）の前端部を横行案内レール（Ｒ１）の先端付近に取り付け、
Ｖ字アーム（Ｖ２）の基端部を横行案内枠（Ｋ１）の中間下部付近に取り付け、
その前端部を横行案内レール（Ｒ１）の後端付近に取り付けてなる請求項１１に記載の可動オーニング装置（Ｓ３ｂ）。
【請求項１３】
出隅キャンバス（Ｇ１，Ｇ２）を巻き取ったり、巻き戻すフロント巻取り構造を備えた出隅用オーニング装置（Ｓ４ａ，Ｓ４ｂ、Ｓ５ａ，Ｓ５ｂ）と、
矩形キャンバス（Ｐ１，Ｐ２）を巻き取ったり、巻き戻すリア巻取り構造を備えた矩形オーニング装置（Ｑ１，Ｑ２）とを結合一体化した複合オーニング装置（ＳＱII１〜５）であって、
前記出隅用オーニング装置（Ｓ４ａ，Ｓ４ｂ、Ｓ５ａ，Ｓ５ｂ）を、
出隅部（Ｎ１）のコーナー寄りの壁側に取り付けた、出隅キャンバス（Ｇ１，Ｇ２）の頂部（１）をスライド案内する横行案内枠（Ｋ１ａ）と、
フロント側に設けたローラ支持枠（２）と、
当該支持枠（Ｆ２）に軸受支持した出隅キャンバス（Ｇ１，Ｇ２）の巻取りローラ（Ｊ１〜Ｊ３）とから形成し、
前記矩形オーニング装置（Ｑ１，Ｑ２）を、
壁側に設けた矩形キャンバス（Ｐ１，Ｐ２）の巻取りローラ（３０，３０ａ）と、
折畳みアーム（Ｙ１，Ｖ２、Ｖ１，Ｖ２）の前端部に取り付けた矩形キャンバス（Ｐ１，Ｐ２）のフロントバー（Ｒ２）とから形成し、
当該フロントバー（Ｒ２）に、前記ローラ支持枠（Ｆ２）を横行案内自在に取り付けたことを特徴とする複合オーニング装置（ＳＱII１〜５）。
【請求項１４】
折畳みアーム（Ｙ１，Ｖ２、Ｖ１，Ｖ２）の前端部に、矩形キャンバス（Ｐ１，Ｐ２）のフロントバー（Ｒ２）を取り付け、
当該フロントバー（Ｒ２）にローラ支持枠（Ｆ２）を横行案内自在に取り付け、
当該ローラ支持枠（Ｆ２）に出隅キャンバス（Ｇ１，Ｇ２）を巻き取ったり、巻き戻す巻取りローラ（Ｊ１〜Ｊ３）を取り付け、
出隅部（Ｎ１）のコーナー寄りの壁側に横行案内枠（Ｋ１ａ）を取り付け、
当該案内枠（Ｋ１ａ）の後半上部位置又は先端上部位置から後方位置の壁側に、矩形キャンバス（Ｐ１，Ｐ２）を巻き取ったり、巻き戻す長短いずれかの巻取りローラ（３０，３０ａ）を取り付け、
前記横行案内枠（Ｋ１ａ）にスライダー（２２，２２ａ）を取り付け、
当該スライダー（２２，２２ａ）に出隅キャンバス（Ｇ１，Ｇ２）の頂部（１）を取り付けてなる請求項１３に記載の複合オーニング装置（ＳＱII１〜５）。
【請求項１５】
矩形キャンバス（Ｐ１，Ｐ２）と出隅キャンバス（Ｇ１，Ｇ２）を、それぞれの巻取りローラ（３０，３０ａ、Ｊ１〜Ｊ３）に巻き取ったり、巻き戻すことにより、
矩形キャンバス（Ｐ１，Ｐ２）のフロントバー（Ｒ２）が前後方向へ平行移動し、
当該フロントバー（Ｒ２）に横行案内されながらローラ支持枠（Ｆ２）が斜めの方向へ平行移動し、
出隅キャンバス（Ｇ１，Ｇ２）の頂部（１）が、横行案内枠（Ｋ１ａ）の先後いずれかの方向へスライドするように構成してなる請求項１３又は１４に記載の複合オーニング装置（ＳＱII１〜５）。
【請求項１６】
ローラ支持枠（Ｆ２）とフロントバー（Ｒ２）を、直線状のＩ字アーム（Ｉ１，Ｉ２）、二つ折れ自在なＶ字アーム（Ｖ１，Ｖ２）、逆ｙ字状のＹ字アーム（Ｙ１，Ｙ２）、二段階の屈伸動作するＬ字アーム（Ｌ１，Ｌ２）のいずれか２体以上の折畳みアームにより支持してなる請求項１３、１４又は１５のいずれかに記載の複合オーニング装置。
【請求項１７】
折畳みアームが、主リンク（２９１）と副リンク（２９２）を逆ｙ字状にリンク構成したＹ字アーム（Ｙ１）と、後部リンク（２５１）と前部リンク（２５２）を二つ折れ自在に連結したＶ字アーム（Ｖ２）とからなり、
その内、Ｙ字アーム（Ｙ１）の主リンク（２９１）の基端部を、出隅部（Ｎ１）のコーナー付近に取り付け、
その前端部をローラ支持枠（Ｆ２）の中間付近に取り付け、
Ｙアーム（Ｙ１）の副リンク（２９２）の前端部を、フロントバー（Ｒ２）の先端付近に取り付け、
Ｖ字アーム（Ｖ２）の基端部を巻取りローラ（３０，３０ａ）の後端下部付近に取り付け、
その前端部をフロントバー（Ｒ２）の後端付近に取り付けてなる請求項１３又は１４に記載の複合オーニング装置（ＳＱII１〜３）。
【請求項１８】
出隅部（Ｎ１）のコーナー寄りの壁側に、出隅キャンバス（Ｇ１，Ｇ２）の横行案内枠（Ｋ１ａ）を取り付け、
当該案内枠（Ｋ１ａ）の後方上部位置から後方位置の壁側に、矩形キャンバス（Ｐ１）の巻取りローラ（３０）を軸受支持したケーシング（Ｋ２）を取り付け、
矩形キャンバス（Ｐ１）のフロントバー（Ｒ２）を、折畳みアームにより前後方向へ平行移動自在に支持し、
当該フロントバー（Ｒ２）の後半部と前記巻取りローラ（３０）に、矩形キャンバス（Ｐ１）の裾部と頂部を取り付け、
前記出隅キャンバス（Ｇ１，Ｇ２）の巻取りローラ（Ｊ１〜Ｊ３）を軸受支持したローラ支持枠（Ｆ２）を、前記フロントバー（Ｒ２）に横行案内自在に組み付け、
出隅キャンバス（Ｇ１，Ｇ２）の頂部（１）を、前記横行案内枠（Ｋ１ａ）に組み込んだスライダー（２２）に取り付けてなる請求項１３、１４又は１５のいずれかに記載の複合オーニング装置（ＳＱII１〜５）。
【請求項１９】
出隅部（Ｎ１）のコーナー寄りの壁側に、出隅キャンバス（Ｇ１，Ｇ２）の横行案内枠（Ｋ１ａ）を取り付け、
当該案内枠（Ｋ１ａ）の先端付近の上部位置から後方位置の壁側に、矩形キャンバス（Ｐ２）の巻取りローラ（３０ａ）を軸受支持したケーシング（Ｋ２）を取り付け、
矩形キャンバス（Ｐ２）のフロントバー（Ｒ２）を、折畳みアームにより前後方向へ平行移動自在に支持し、
当該フロントバー（Ｒ２）と前記巻取りローラ（３０ａ）に、矩形キャンバス（Ｐ２）の裾部と頂部を取り付け、
前記出隅キャンバス（Ｇ１，Ｇ２）の巻取りローラ（Ｊ１〜Ｊ３）を軸受支持したローラ支持枠（Ｆ２）を、前記フロントバー（Ｒ２）に横行案内自在に組み付け、
出隅キャンバス（Ｇ１，Ｇ２）の頂部（１）を、前記横行案内枠（Ｋ１ａ）に組み込んだスライダー（２２）に取り付けてなる請求項１３、１４又は１５のいずれかに記載の複合オーニング装置（ＳＱII１〜５）。
【請求項２０】
請求項１３〜１５、１８又は１９のいずれかに記載の複合オーニング装置（ＳＱII４・５）の２組を、出隅部（Ｎ１）の一方と他方に向かい合わせて取り付け、
一方と他方のローラ支持枠（Ｆ２）の先端部を突き合わせて連結したことを特徴とする複合オーニング装置（ＷＳＱIV１・２）。
【請求項２１】
横行案内枠（Ｋ１ａ）に、小車輪（２３１）を備えたスライダー（２２，２２ａ）を転動自在に組み込み、
当該スライダー（２２，２２ａ）に形成したキャンバス嵌合溝（２２３）に、出隅キャンバス（Ｇ１，Ｇ２）の頂部（１）を取り付けてなる請求項１３〜１５、１８又は１９のいずれかに記載の複合オーニング装置。
【請求項２２】
出隅キャンバス（Ｇ１，Ｇ２）をほぼ直角台形状又は三角形状のいずれかに形成し、
当該キャンバス頂部をスライダー（２２，２２ａ）に取り付け、
キャンバス裾部を巻取りローラ（Ｊ１〜Ｊ３）に取り付けてなる請求項１４、１８、１９又は２１のいずれかに記載の複合オーニング装置。
【請求項２３】
スライダー（２２，２２ａ）と巻取りローラ（Ｊ１〜Ｊ３）との間に、連結ワイヤ（１９３，１９４）やベルト、ロープ等の緊張部材を張り渡してなる請求項２１又は２２に記載の複合オーニング装置。
【請求項２４】
一方の連結ワイヤ（１９３）を、出隅キャンバス（Ｇ１）の斜部（３）に沿って取り付け、
他方の連結ワイヤ（１９４）を、キャンバス裾部（３）の後端部とキャンバス頂部（１）の先端部を斜めに結ぶ線に沿って取り付けてなる請求項２２又は２３に記載の複合オーニング装置。
【請求項２５】
三角キャンバス（Ｇ２）の両側位置の斜部（３ａ，３ｂ）に沿って連結ワイヤを取り付け、
当該ワイヤの基端部を巻取りローラ（Ｊ１〜Ｊ３）の先後両端付近に取り付け、
三角キャンバス（Ｇ２）の山頂部から引き出した前記ワイヤの末端部を、スライダー（２２ａ）に取り付けてなる請求項２２又は２３に記載の複合オーニング装置。
【請求項２６】
巻取りローラ（Ｊ１〜Ｊ３）のローラ支持枠（Ｆ２）をインナーとし、
矩形キャンバス（Ｐ１，Ｐ２）のフロントバー（Ｒ２）をアウターとしてなる請求項１３〜１５、１８又は１９のいずれかに記載の複合オーニング装置。
【発明の詳細な説明】
【技術分野】
【０００１】
本発明は、出隅キャンバスのフロント巻取り構造を備えた可動オーニング装置と複合オーニング装置に関し、各種建築物の出隅部のコーナー空間部とその近傍の建物外回りを体裁良く覆うために使用される。
【発明の背景】
【０００２】
本発明者は、近時、建築物の出隅部のコーナー空間部を含む建物外回りを覆うため、当該出隅部のコーナー寄りの壁際部分に軸受支持した巻取りローラを、インナーローラと当該ローラにスライド自在に嵌挿したアウターローラとから形成し、当該巻取りローラに巻き取ったコーナーキャンバス（以下、出隅キャンバスという）を、巻き戻して展開しながら斜め前方のコーナー空間部へ平行に押し出したり、それとは逆に、コーナー空間部に張り出した出隅キャンバスを、巻取りローラに巻き取りながら斜め後方へ平行に引き込んで巻き上げ収納するコーナー用オーニング装置を提供した（下記の特許文献１参照）。
【０００３】
その後、現段階では、未公開で非公知であるが、下記の先行出願２において、建築物の出隅部とその近傍の直線区間や、出隅部と入隅部や、一方の出隅部と他方の出隅部等の建物外回りを、出隅キャンバスと矩形キャンバス、入隅キャンバス等により一段と体裁良く覆うために複合化してなる複合オーニング装置を提供した。
引き続いて、下記の先行出願３・４において、壁際部分から手前側へ展開した出隅キャンバスを、その展開状態を維持したまま出隅部のコーナー空間部へ横行移動したり、キャンバス収納時には後退移動した上で巻き上げ収納する、横行スライド構造を備えたシングルタイプと複合タイプの可動オーニング装置を提供した。
【０００４】
そして、下記の先行出願５では、出隅キャンバスを含む複数キャンバスを、単体の巻取りローラに重ね合わせて巻き取ったり、巻き戻し、また、複数キャンバスの内、展開した出隅キャンバスを横行スライド自在とする複合オーニング装置を提供した。
更に、下記の先行出願６では、出隅キャンバスを巻取りローラに沿って横行スライド自在としながら、当該出隅キャンバスのフロントバーそれ自体を、折畳みアームにより前後方向へ平行移動自在とすると共に、前方へ展開した出隅キャンバスのフロントバーを横行操作自在とする可動オーニング装置を提供した。
【０００５】
他方、下記の特許文献２〜４に開示したオーニング装置は、二つ折れ自在な折畳みアームの前端部に前方支持枠を取り付け、それに矩形キャンバスの巻取りローラを軸受支持し、矩形キャンバスの後端部を支持する取付軸を壁際部分に取り付け、前記巻取りローラに巻き上げた矩形キャンバスを巻き戻すことにより前方展開し、逆に、展開した矩形キャンバスを巻取りローラに巻き取ることで、折畳みアームを二つ折れしながら、装置全体を壁際部分に向けて平行移動して壁面収納している。言い換えれば、矩形キャンバスのフロント巻取り構造を備えた可動オーニング装置を開示している。
【先行技術の文献情報リスト】
【０００６】
【特許文献１】
国際公開ＷＯ２００６／００３７２０Ａ１パンフレット（１２．０１．２００６公開）（先行出願１：ＰＣＴ／ＪＰ２００４／００９７５１）
【特許文献２】
実開昭６１−６５１３１号公報（０２．０５．１９８６公開）
【特許文献３】
実開昭６１−６５１３２号公報（０２．０５．１９８６公開）
【特許文献４】
実開平４−１１７２３号公報（３０．０１．１９９２公開）
【先行出願（未公開・非公知）のリスト】
【０００７】
先行出願２  ＰＣＴ／ＪＰ２００５／００４８４３（１０．０３．２００５出願）
先行出願３  ＰＣＴ／ＪＰ２００５／０１８５９９（０３．１０．２００５出願）
先行出願４  ＰＣＴ／ＪＰ２００５／０１８９９７（１１．１０．２００５出願）
先行出願５  ＰＣＴ／ＪＰ２００５／０２３６８８（１３．１２．２００５出願）
先行出願６  ＰＣＴ／ＪＰ２００６／３００３２３（０６．０１．２００６出願）
【発明の開示】
【発明が解決しようとする課題】
【０００８】
本発明者は、自己の発明に係る特許文献１（先行出願１）や先行出願２〜６に記載のリア巻取り構造の可動オーニング装置に対して、現段階で格別な技術課題を認識している訳ではないが、特許文献２〜４に示すフロント巻取り構造の可動オーニング装置にも技術的な有用性を認めることができる。
そこで、本発明では、出隅部のコーナー空間部を含む建物外回りを体裁良く覆うことに関し、フロント巻取り構造のオーニング装置をベースにした場合における、斬新で技術的な興趣に富むシングルタイプと複合タイプの可動オーニング装置を当業界に提供することに着眼したのである。
そして、本発明の実施化を企図する上で想定される種々の関連する技術課題に対処する付帯装置をも提供する。
以下、シングルタイプの場合を、シングル装置又はシングルオーニング装置といい、複合タイプの場合を、複合装置又は複合オーニング装置という。
【課題を解決するための手段】
【０００９】
シングルタイプの可動オーニング装置Ｓ１ａ，Ｓ１ｂ、Ｓ２ａ，Ｓ２ｂ、Ｓ３ａ，Ｓ３ｂに関する２発明（以下、第１発明と第２発明いう）と、その効果について
尚、各項の末尾に括弧内に付記する符号は、開示したシングル装置や複合装置の実施形態を示している。
第１発明は、（１）・・・折畳みアームＩ１，Ｉ２、Ｌ１，Ｌ２、Ｖ１，Ｖ２の前端部にローラ支持枠Ｆ１を取り付け、当該ローラ支持枠Ｆ１に出隅キャンバスＧ１を巻き取ったり、巻き戻す巻取りローラＪ１〜Ｊ３を軸受支持し、壁側に設けた横行案内枠Ｋ１にスライダー２２を取り付け、当該スライダー２２に前記出隅キャンバスＧ１の頂部１を取り付けたことを特徴とする（Ｓ１ａ，Ｓ１ｂ、Ｓ２ａ，Ｓ２ｂ、Ｓ３ａ，Ｓ３ｂ）。
これにより、出隅部Ｎ１のコーナー空間部を体裁良く覆うことができ、逆に、出隅部Ｎ１から食み出すことなくコーナー付近へ体裁良く、コンパクトに収納することができる。
【００１０】
第１発明の具体的な構成と、その作動過程に関する種々の従属発明を以下に列記する。
（２）・・・前記１に記載の折畳みアームが、間隔を隔てて平行に形成した直線状のＩ字アームＩ１，Ｉ２であって、出隅キャンバスＧ１を巻取りローラＪ１〜Ｊ３に巻き取ったり、巻き戻すことにより、ローラ支持枠Ｆ１が斜めの方向に平行移動し、キャンバス頂部１のスライダー２２が、横行案内枠Ｋ１の先後いずれかの方向へスライドするように構成する（Ｓ１ａ）。
（３）・・・前記１、２に記載の巻取りローラＪ１〜３に巻き取った出隅キャンバスＧ１を巻き戻して展開しながら、当該巻取りローラＪ１〜Ｊ３とそのローラ支持枠Ｆ１を、斜め前方のコーナー空間部へ向けて平行に押し出し、キャンバス頂部１のスライダー２２を、横行案内枠Ｋ１の先端部へ前進スライドするように構成する（Ｓ１ａ）。
（４）・・・前記１、２に記載のコーナー空間部に張り出した出隅キャンバスＧ１を、巻取りローラＪ１，Ｊ２に巻き取りながら、当該巻取りローラＪ１，Ｊ２とそのローラ支持枠Ｆ１を、斜め後方へ平行に引き込んで収納し、キャンバス頂部１のスライダー２２を、横行案内枠Ｋ１の後方部へ後退スライドするように構成する（Ｓ１ａ）。
（５）・・・前記２に記載のＩ字アームＩ１，Ｉ２の内、一方のＩ字アームＩ１の基端部を出隅部Ｎ１のコーナー付近に取り付け、その前端部をローラ支持枠Ｆ１の中間付近に取り付け、他方のＩ字アームＩ２の基端部を横行案内枠Ｋ１の中間付近に取り付け、その前端部をローラ支持枠Ｆ１の後端付近に取り付ける（Ｓ１ａ）。
前記２〜５により、出隅キャンバスＧ１の巻き戻しとコーナー空間部を含む建物外回りへの展開作動と、当該空間部を含む外回りに展開した出隅キャンバスＧ１の巻き取りと壁面収納が、安定して円滑、確実に行われる。
【００１１】
（６）・・・前記１に記載の折畳みアームが、２段階動作で平行回転する一対のＬ字アームＬ１，Ｌ２であって、当該Ｌ字アームＬ１，Ｌ２を、折れ曲げ自在に連結した後部リンク２７１と前部リンク２７２とで形成し、その二つ折れ連結部を連接ロッド２７３で連結してリンク構成し、出隅キャンバスＧ１を巻取りローラＪ１，Ｊ２に巻き取ったり、巻き戻すことにより、前記Ｌ字アームＬ１，Ｌ２が２段階の屈伸動作をすることで、ローラ支持枠Ｆ１が斜めの方向に平行移動し、キャンバス頂部１のスライダー２２が、横行案内枠Ｋ１の先後いずれかの方向へスライドするように構成する（Ｓ１ｂ）。
（７）・・・前記６に記載のＬ字アームＬ１，Ｌ２の内、Ｌ字アームＬ１の後部リンク２７１の基端部を、出隅部Ｎ１のコーナー付近に取り付け、その前部リンク２７２の前端部をローラ支持枠Ｆ１の中間付近に取り付け、Ｌ字アームＬ２の後部リンク２７１の基端部を、前記コーナー位置から適宜間隔を隔てた位置に取り付け、その前部リンク２７２の先端部をローラ支持枠Ｆ１の後端付近に取り付け、前記後部リンク２７１の基端部には、相対的に弱い弾力のばねを組み込み、後部リンク２７１と前部リンク２７２との二つ折れ連結部には、相対的に強い弾力のばねを組み込む（Ｓ１ｂ）。
【００１２】
（８）・・・前記６、７に記載の展開した出隅キャンバスＧ１を巻取りローラＪ１，Ｊ２に巻き取る際には、最初に、弱目のばね弾力で付勢した後部リンク２７１の一対が、その弾性付勢力に抗して後方へ平行回転することにより、ローラ支持枠Ｆ１を斜め後方へ平行移動させて折り畳み、次いで、強目のばね弾力で付勢した前部リンク２７２の一対が、その弾性付勢力に抗して後方へ平行回転することにより、ローラ支持枠Ｆ１を更に斜め後方へ平行移動させ、Ｌ字アームＬ１，Ｌ２をほぼ直線状に引き伸ばして折り畳むように構成する（Ｓ１ｂ）。
（９）・・・前記６、７に記載の巻取りローラＪ１，Ｊ２に巻き付けた出隅キャンバスＧ１を巻き戻す際には、最初に、強目のばね弾力で付勢した前部リンク２７２の一対を、その弾性付勢力により前方へ所定の拡開角度まで平行回転することにより、ローラ支持枠Ｆ１を斜め前方へ平行移動しながら押し出し、次いで、弱目のばね弾力で付勢した後部リンク２７１の一対を、所定の拡開角度まで平行回転することにより、ローラ支持枠Ｆ１を更に斜め前方へ平行に押し出すように構成する（Ｓ１ｂ）。
前記６〜９により、出隅キャンバスＧ１の巻き戻しとコーナー空間部を含む建物外回りへの展開作動が二段階動作で行われ、当該空間部を含む外回りに展開した出隅キャンバスＧ１の巻き取り収納が二段階動作により安定して円滑、確実に行われる。
特に、前記２〜５に記載のＩ字アームＩ１，Ｉ２の場合に比して、より一段と斜め前方のコーナー空間部まで出隅キャンバスＧ１の展開作動を可能とする。
【００１３】
（１０）・・・前記１に記載の折畳みアームが、後部リンク２５１と前部リンク２５２を二つ折れ自在に連結したＶ字アームＶ１，Ｖ２であって、出隅キャンバスＧ１を当該Ｖ字アーム（Ｖ１，Ｖ２）が先後対称に折り曲げられた状態のときに、巻取りローラＪ１，Ｊ２に巻き取ったり、巻き戻すことにより、ローラ支持枠Ｆ１が前後方向へ平行移動し、前方へ展開した出隅キャンバスＧ１のローラ支持枠Ｆ１を横行操作することにより、キャンバス頂部１のスライダー２２が、横行案内枠Ｋ１の先後いずれかの方向へスライドするように構成する（Ｓ２ａ，Ｓ２ｂ）。
（１１）・・・前記１、１０に記載の巻取りローラＪ１，Ｊ２に巻き取った出隅キャンバスＧ１を、巻き戻して展開し、Ｖ字アーム（Ｖ１，Ｖ２）が先後対称に折り曲げられた段階で、前記巻取りローラＪ１，Ｊ２のローラ支持枠Ｆ１をコーナー空間部へ向けて横行操作することにより、キャンバス頂部１のスライダー２２が横行案内枠Ｋ１に沿って前進スライドし、前記コーナー空間部を含む建物外回りに出隅キャンバスＧ１を張り出す（Ｓ２ａ，Ｓ２ｂ）。
（１２）・・・前記１０に記載のコーナー空間部に張り出した出隅キャンバスＧ１の展開状態を維持したまま、巻取りローラＪ１，Ｊ２とそのローラ支持枠Ｆ１を装置後方へ向けて横行操作することにより、キャンバス頂部１のスライダー２２を横行案内枠Ｋ１の後方へ後退スライドし、Ｖ字アーム（Ｖ１，Ｖ２）が先後対称に折り曲げられた段階で、展開した出隅キャンバスＧ１を巻取りローラＪ１，Ｊ２に巻き取る（Ｓ２ａ，Ｓ２ｂ）。
前記１０〜１２により、出隅キャンバスＧ１の巻き戻し作動と、展開した出隅キャンバスＧ１のコーナー空間部への押し出し操作が安定して円滑、確実に行われる。
勿論、コーナー空間部からの引き戻し操作と出隅キャンバスＧ１の巻き取り収納作動も円滑になされる。
【００１４】
第２発明は、（１３）・・・折畳みアームＶ１，Ｖ２、Ｙ１，Ｖ２の前端部に横行案内レールＲ１を取り付け、当該案内レールＲ１にローラ支持枠Ｆ１ａをスライド自在に取り付け、当該ローラ支持枠Ｆ１ａに出隅キャンバスＧ１を巻き取ったり、巻き戻す巻取りローラＪ１〜Ｊ３を軸受支持し、壁側に設けた横行案内枠Ｋ１にスライダー２２を取り付け、当該スライダー２２に前記出隅キャンバスＧ１の頂部１を取り付けたことを特徴とする（Ｓ３ａ，Ｓ３ｂ）。
これにより、出隅部Ｎ１のコーナー空間部を含む建物外回りが体裁良く覆われ、逆に、壁際部分へ装置全体が体裁良く、コンパクトな壁面収納を可能とする。
【００１５】
第２発明の具体的な構成と、その作動過程に関する種々の従属発明を以下に列記する。
（１４）・・・前記１３に記載の折畳みアームが、後部リンク２５１と前部リンク２５２を二つ折れ自在に連結したＶ字アームＶ１，Ｖ２であって、出隅キャンバスＧ１を巻取りローラＪ１〜Ｊ３に巻き取ったり、巻き戻すことにより、ローラ支持枠Ｆ１ａが前後方向へ平行移動し、展開した出隅キャンバスＧ１のローラ支持枠Ｆ１ａを、横行案内レールＲ１に沿ってスライド操作することにより、キャンバス頂部１のスライダー２２が、横行案内枠Ｋ１の先後いずれかの方向へスライドするように構成する（Ｓ３ａ）。
（１５）・・・前記１４に記載のＶ字アームＶ１，Ｖ２の基端部を、横行案内枠Ｋ１の先端付近と中間付近の下部位置に取り付け、そのアーム前端部を横行案内レールＲ１の先後両端付近に取り付ける（Ｓ３ａ）。
（１６）・・・前記１３、１４に記載の巻取りローラＪ１〜Ｊ３に巻き取った出隅キャンバスＧ１を、巻き戻して展開した上で、横行案内枠Ｋ１と横行案内レールＲ１に沿って前進スライドすることにより、コーナー空間部へ張り出す（Ｓ３ａ）。
（１７）・・・前記１４に記載のコーナー空間部に張り出した出隅キャンバスＧ１を、その展開状態を維持したまま横行案内枠Ｋ１と横行案内レールＲ１に沿って後退スライドした上で、巻取りローラＪ１〜Ｊ３に巻き取るように構成する（Ｓ３ａ）。
前記１４〜１７により、展開した出隅キャンバスＧ１のコーナー空間部への前進移動や、当該空間部を含む建物外回りに張り出した出隅」キャンバスＧ１の後退移動が円滑、確実に行われる。
【００１６】
（１８）・・・前記１３に記載の折畳みアームが、主リンク２９１と副リンク２９２を逆ｙ字状にリンク構成したＹ字アームＹ１と、後部リンク２５１と前部リンク２５２を二つ折れ自在に連結したＶ字アームＶ２とからなり、出隅キャンバスＧ１を巻取りローラＪ１〜Ｊ３に巻き取ったり、巻き戻すことにより、ローラ支持枠Ｆ１ａが斜めの方向へ平行移動し、キャンバス頂部１のスライダー２２が、横行案内枠Ｋ１の先後いずれかの方向へスライドするように構成する（Ｓ３ｂ）。
（１９）・・・前記１８に記載のＹ字アームＹ１の主リンク２９１の基端部を出隅部Ｎ１のコーナー付近に取り付け、その前端部をローラ支持枠Ｆ１ａの中間付近に取り付け、ＹアームＹ１の副リンク２９２の前端部を横行案内レールＲ１の先端付近に取り付け、Ｖ字アームＶ２の基端部を横行案内枠Ｋ１の中間下部付近に取り付け、その前端部を横行案内レールＲ１の後端付近に取り付ける（Ｓ３ｂ）。
前記１８、１９により、出隅キャンバスＧ１の巻き上げ、巻き戻しと、ローラ支持枠Ｆ１ａの斜め方向への平行移動が同期して効率良く行われる。
【００１７】
第１発明又は第２発明のシングル装置Ｓ１ａ，Ｓ１ｂ、Ｓ２ａ，Ｓ２ｂ、Ｓ３ａ，Ｓ３ｂのいずれかに、矩形キャンバスＰ１の可動オーニング装置Ｑを組み合わせる場合の従属発明を列記する。
（２０）・・・前記１、１３に記載のフロント巻取り構造を備えた可動オーニング装置Ｓ１ａ，Ｓ１ｂ、Ｓ２ａ，Ｓ２ｂ、Ｓ３ａ，Ｓ３ｂに、矩形キャンバスＰ１とその巻取りローラ３０とフロントバー３１と、当該フロントバー３１を支持する折畳みアームＶ３，Ｖ４を備えたリア巻取り構造の可動オーニング装置Ｑを組み合わせるに、横行案内枠Ｋ１の後半部位の下部位置又は上部位置に、前記矩形キャンバスＰ１の巻取りローラ３０の先端寄り部位をほぼ重ね合わせて取り付ける。
（２１）・・・前記２０に記載の巻取りローラ３０に巻き取る矩形キャンバスＰ１を上巻きし、巻取りローラＪ１〜Ｊ３に巻き取る出隅キャンバスＧ１を上巻きする。
（２２）・・・前記２０に記載の巻取りローラ３０に巻き取る矩形キャンバスＰ１を下巻きし、巻取りローラＪ１〜Ｊ３に巻き取る出隅キャンバスＧ１を上巻きする。
前記２０〜２２により、出隅部Ｎ１のコーナー空間部とそれに続く直線区間の外回りが、恰も一体物のように体裁良く覆うことができる。
【００１８】
第１発明と第２発明のいずれかに属するシングル装置Ｓ１ｃ，Ｓ１ｄ、Ｓ３ｃ，Ｓ３ａ，Ｓ３ｂ，Ｓ３ｄを連動化する場合の従属発明を列記する。
（２３）・・・前記１、１３に記載のフロント巻取り構造を備えた可動オーニング装置Ｓ１ｃ，Ｓ１ｄ、Ｓ３ｃ，Ｓ３ａ，Ｓ３ｂ，Ｓ３ｄの２体を、出隅部Ｎ１の一方と他方に向かい合わせて取り付け、一方と他方のローラ支持枠Ｆ１，Ｆ１ａの先端部を向かい合わせて連結することで一体化する。
これにより、出隅部Ｎ１のコーナー空間部を含む建物外回りが、より一段と体裁良く覆われる。
【００１９】
第２発明の具体的な構成と、その作動過程に関する種々の従属発明を以下に列記する。
（２４）・・・前記２３に記載のローラ支持枠Ｆ１，Ｆ１ａを支持する折畳みアームが、後部リンク２５１と前部リンク２５２を二つ折れ自在に連結したＶ字アームＶ１，Ｖ２であって、その二つ折れ連結部を連接ロッド２５３で連結してリンク構成し、出隅キャンバスＧ１を巻取りローラＪ１〜Ｊ３に巻き取ったり、巻き戻すことにより、ローラ支持枠Ｆ１が斜めの方向へ平行移動し、キャンバス頂部１のスライダー２２が、横行案内枠Ｋ１の先後いずれかの方向へスライドするように構成する（ＷＳ１ｃ）。
（２５）・・・前記２４に記載のＶ字アームＶ１，Ｖ２の内、Ｖ字アームＶ１の後部リンク２５１の基端部を、出隅部Ｎ１のコーナー付近に取り付け、その前部リンク２５２の前端部をローラ支持枠Ｆ１の先端付近に取り付け、Ｖ字アームＶ２の後部リンク２５１の基端部を、横行案内枠Ｋ１の中間付近の下部位置に取り付け、その前部リンク２５２の先端部をローラ支持枠Ｆ１の後方付近に取り付ける（ＷＳ１ｃ）。
【００２０】
（２６）・・・前記２３に記載のローラ支持枠Ｆ１，Ｆ１ａを支持する折畳みアームが、間隔を隔てて平行に形成した直線状の伸縮アームＴ１，Ｔ２であって、出隅キャンバスＧ１を巻取りローラＪ１〜Ｊ３に巻き取ったり、巻き戻すことにより、ローラ支持枠Ｆ１が斜めの方向に平行移動し、キャンバス頂部１のスライダー２２が、横行案内枠Ｋ１の先後いずれかの方向へスライドするように構成する（ＷＳ１ｄ）。
（２７）・・・前記２６に記載の伸縮アームＴ１，Ｔ２の内、一方の伸縮アームＴ１の基端部を出隅部Ｎ１のコーナー付近に取り付け、その前端部をローラ支持枠Ｆ１の中間付近に取り付け、他方の伸縮アームＴ２の基端部を、前記コーナー付近から適宜間隔を隔てた横行案内枠Ｋ１の中間付近の下部位置に取り付け、その前端部をローラ支持枠Ｆ１の後端付近に取り付ける（ＷＳ１ｄ）。
（２８）・・・前記２６、２７に記載の出隅キャンバスＧ１を連動して巻き取る際には、それぞれの伸縮アームＴ１，Ｔ２の後部アーム３５１と前部アーム３５２が相対的に伸縮しながら後方へ向かって平行回転し、それと同時に、一方と他方のローラ支持枠Ｆ１を斜め後方の壁際部分へ向かって平行移動する（ＷＳ１ｄ）。
（２９）・・・前記２６に記載の巻取りローラＪ１〜Ｊ３を連動して巻き戻し回転すると、それぞれの伸縮アームＴ１，Ｔ２が、その弾性付勢力により斜め前方へ伸縮しながら平行回転し、ローラ支持枠Ｆ１を斜め前方へ平行移動しながら押し出すように構成する（ＷＳ１ｄ）。
【００２１】
（３０）・・・前記２３に記載のローラ支持枠Ｆ１，Ｆ１ａを支持する折畳みアームが、間隔を隔てて平行に形成した直線状のＩ字アームＩ１，Ｉ２であって、出隅キャンバスＧ１を巻取りローラＪ１〜Ｊ３に巻き取ったり、巻き戻すことにより、ローラ支持枠Ｆ１ａが横行案内レールＲ１をスライドしながら斜めの方向に平行移動し、前記出隅キャンバスＧ１の頂部１が、横行案内枠Ｋ１の先後いずれかの方向へスライドするように構成する（ＷＳ３ｃ）。
（３１）・・・前記３０に記載のＩ字アームＩ１，Ｉ２の内、一方のＩ字アームＩ１の基端部を出隅部Ｎ１のコーナー付近に取り付け、その前端部を横行案内レールＲ１の中間付近に取り付け、他方のＩ字アームＩ２の基端部を、前記コーナー付近から適宜間隔を隔てた横行案内枠Ｋ１の中間付近に取り付け、その前端部を横行案内レールＲ１の後端付近に取り付ける（ＷＳ３ｃ）。
【００２２】
（３２）・・・前記２３に記載のローラ支持枠Ｆ１，Ｆ１ａを支持する折畳みアームが、後部リンク２５１と前部リンク２５２を二つ折れ自在に連結したＶ字アームＶ１，Ｖ２であって、出隅キャンバスＧ１を巻取りローラＪ１〜Ｊ３に巻き取ったり、巻き戻すことにより、ローラ支持枠Ｆ１が横行案内レールＲ１をスライドしながら斜めの方向へ平行移動し、前記出隅キャンバスＧ１の頂部１が、横行案内枠Ｋ１の先後いずれかの方向へスライドするように構成する（ＷＳ３ａ）。
（３３）・・・前記３２に記載のＶ字アームＶ１，Ｖ２の基端部を、横行案内枠Ｋ１の先端付近と中間付近の下部位置に取り付け、そのアーム前端部を横行案内レールＲ１の先後両端付近に取り付ける（ＷＳ３ａ）。
（３４）・・・前記３２に記載のＶ字アームＶ１，Ｖ２の内、Ｖ字アームＶ１の前部リンク２５２の前端部に、適宜角度θに折れ曲げた折曲リンク２５４を突出形成し、当該折曲リンク２５４の先端部と、突き合わせたローラ支持枠Ｆ１ａの入隅付近とを連接ロッド７８で連結する（ＷＳ３ｄ）。
（３５）・・・前記３４に記載の折れ曲げ角度θを、出隅部Ｎ１の角度とほぼ同一に形成する（ＷＳ３ｄ）。
【００２３】
（３６）・・・前記３２に記載のＶ字アームＶ１を、主リンク２９１と副リンク２９２を逆ｙ字状にリンク構成したＹ字アームＹ１に置換し、出隅キャンバスＧ１を巻取りローラＪ１〜Ｊ３に巻き取ったり、巻き戻すことにより、ローラ支持枠Ｆ１が斜めの方向に平行移動し、前記出隅キャンバスＧ１の頂部１が、横行案内枠Ｋ１の先後いずれかの方向へ横行スライドするように構成する。
（３７）・・・前記３６に記載のＹ字アームＹ１の主リンク２９１の基端部を、出隅部Ｎ１のコーナー付近に取り付け、その前端部をローラ支持枠Ｆ１ａの中間付近に取り付け、ＹアームＹ１の副リンク２９２の前端部を、横行案内レールＲ１の先端付近に取り付け、Ｖ字アームＶ２の基端部を横行案内枠Ｋ１の中間下部付近に取り付け、その前端部を横行案内レールＲ１の後端付近に取り付ける。
【００２４】
前記した第１発明と第２発明に付帯する従属発明を、以下に列記する。
（３８）・・・前記１〜４、６、１０〜１４、１８、２４、２６に記載のスライダー２２を、インナー又はアウターのいずれかとする。
（３９）・・・前記１〜４、６、１０〜１４、１８、２４、２６に記載の横行案内枠Ｋ１に、小車輪２３１を備えたスライダー２２を転動自在に組み込み、当該スライダー２２に形成したキャンバス嵌合溝２２３に、出隅キャンバスＧ１の頂部１を取り付ける。
（４０）・・・前記１〜４、６、８〜１４、１６〜１８、２４、２６、２８、３０、３２、３６に記載の出隅キャンバスＧ１を、ほぼ直角台形状の平面形態に形成し、当該キャンバス頂部１をスライダー２２に取り付け、キャンバス裾部２を巻取りローラＪ１〜Ｊ３に取り付ける。
（４１）・・・前記１〜４、６、１０〜１４、１８、２４、２６に記載のスライダー２２と巻取りローラＪ１〜Ｊ３との間に、連結ワイヤ１９３，１９４やベルト、ロープ等の緊張部材を張り渡す。
（４２）・・・前記４０に記載の一方の連結ワイヤ１９３を、出隅キャンバスＧ１の斜部３に沿って取り付け、他方の連結ワイヤ１９４を、キャンバス裾部３の後端部とキャンバス頂部１の先端部を斜めに結ぶ線に沿って取り付ける。
（４３）・・・前記４１、４２に記載の連結ワイヤ１９３，１９４の基端部を、巻取りローラＪ１〜Ｊ３の先後両端付近に取り付け、その末端部をスライダー２２の先端付近に取り付ける。
【００２５】
複合タイプの可動オーニング装置ＳＱII１〜５、ＷＳＱIV１・２に関する発明（以下、第３発明いう）と、その効果について
第３発明は、（４４）・・・出隅キャンバスＧ１，Ｇ２を巻き取ったり、巻き戻すフロント巻取り構造を備えた出隅用オーニング装置Ｓ４ａ，Ｓ４ｂ、Ｓ５ａ，Ｓ５ｂと、
矩形キャンバスＰ１，Ｐ２を巻き取ったり、巻き戻すリア巻取り構造を備えた矩形オーニング装置Ｑ１，Ｑ２とを結合一体化したことを特徴とする（ＳＱII１〜５）。
これにより、出隅部Ｎ１のコーナー空間部と、それに続く直線区間を含む建物外回りが、一体的に体裁良く覆われる。
第３発明を連動化した従属発明は、（４５）・・・前記４４に記載の複合オーニング装置ＳＱII４・５の２組を、出隅部Ｎ１の一方と他方に向かい合わせて連結する（ＷＳＱIV１・２）。
これにより、出隅部Ｎ１のコーナー空間部を含む一方と他方の直線区間の建物外回りが、より一段と体裁良く覆われる。
【００２６】
以下、第３発明の具体的な構成と、作動過程に関する従属発明を列記する。
（４６）・・・前記４４に記載の出隅用オーニング装置Ｓ４ａ，Ｓ４ｂ、Ｓ５ａ，Ｓ５ｂを、出隅部Ｎ１のコーナー寄りの壁側に取り付けた、出隅キャンバスＧ１，Ｇ２の頂部１をスライド案内する横行案内枠Ｋ１ａと、フロント側に設けたローラ支持枠Ｆ２と、当該支持枠Ｆ２に軸受支持した出隅キャンバスＧ１，Ｇ２の巻取りローラＪ１〜Ｊ３とから形成し、矩形オーニング装置Ｑ１，Ｑ２を、壁側に設けた矩形キャンバスＰ１，Ｐ２の巻取りローラ３０，３０ａと、折畳みアームＹ１，Ｖ２、Ｖ１，Ｖ２の前端部に取り付けた矩形キャンバスＰ１，Ｐ２のフロントバーＲ２とから形成し、当該フロントバーＲ２に、前記ローラ支持枠Ｆ２を横行案内自在に取り付ける（ＳＱII１〜５）。
（４７）・・・前記４６に記載の折畳みアームＹ１，Ｖ２、Ｖ１，Ｖ２の前端部に、矩形キャンバスＰ１，Ｐ２のフロントバーＲ２を取り付け、当該フロントバーＲ２にローラ支持枠Ｆ２を横行案内自在に取り付け、当該ローラ支持枠Ｆ２に出隅キャンバスＧ１，Ｇ２を巻き取ったり、巻き戻す巻取りローラＪ１〜Ｊ３を取り付け、出隅部Ｎ１のコーナー寄りの壁側に横行案内枠Ｋ１ａを取り付け、当該案内枠Ｋ１ａの後半上部位置又は先端上部位置から後方位置の壁側に、矩形キャンバスＰ１，Ｐ２を巻き取ったり、巻き戻す長短いずれかの巻取りローラ３０，３０ａを取り付け、前記横行案内枠Ｋ１ａにスライダー２２，２２ａを取り付け、当該スライダー２２，２２ａに出隅キャンバスＧ１，Ｇ２の頂部１を取り付ける（ＳＱII１〜５）。
（４８）・・・前記４６、４７に記載の矩形キャンバスＰ１，Ｐ２と出隅キャンバスＧ１，Ｇ２を、それぞれの巻取りローラ３０，３０ａ、Ｊ１〜Ｊ３に巻き取ったり、巻き戻すことにより、矩形キャンバスＰ１，Ｐ２のフロントバーＲ２が前後方向へ平行移動し、当該フロントバーＲ２に横行案内されながらローラ支持枠Ｆ２が斜めの方向へ平行移動し、出隅キャンバスＧ１，Ｇ２の頂部１が、横行案内枠Ｋ１ａの先後いずれかの方向へスライドするように構成する（ＳＱII１〜５）。
（４９）・・・前記４６、４７、４８に記載のローラ支持枠Ｆ２とフロントバーＲ２を、直線状のＩ字アームＩ１，Ｉ２、二つ折れ自在なＶ字アームＶ１，Ｖ２、逆ｙ字状のＹ字アームＹ１，Ｙ２、二段階の屈伸動作するＬ字アームＬ１，Ｌ２のいずれか２体以上の折畳みアームにより支持する。
（５０）・・・前記４６に記載の折畳みアームが、主リンク２９１と副リンク２９２を逆ｙ字状にリンク構成したＹ字アームＹ１と、後部リンク２５１と前部リンク２５２を二つ折れ自在に連結したＶ字アームＶ２とからなり、その内、Ｙ字アームＹ１の主リンク２９１の基端部を、出隅部Ｎ１のコーナー付近に取り付け、その前端部をローラ支持枠Ｆ２の中間付近に取り付け、ＹアームＹ１の副リンク２９２の前端部を、フロントバーＲ２の先端付近に取り付け、Ｖ字アームＶ２の基端部を巻取りローラ３０，３０ａの後端下部付近に取り付け、その前端部をフロントバーＲ２の後端付近に取り付ける（ＳＱII１〜３）。
【００２７】
（５１）・・・出隅部Ｎ１のコーナー寄りの壁側に、出隅キャンバスＧ１，Ｇ２の横行案内枠Ｋ１ａを取り付け、当該案内枠Ｋ１ａの後方上部位置から後方位置の壁側に、矩形キャンバスＰ１の巻取りローラ３０を軸受支持したケーシングＫ２を取り付け、矩形キャンバスＰ１のフロントバーＲ２を、折畳みアームにより前後方向へ平行移動自在に支持し、当該フロントバーＲ２の後半部と前記巻取りローラ３０に、矩形キャンバスＰ１の裾部と頂部を取り付け、前記出隅キャンバスＧ１，Ｇ２の巻取りローラＪ１〜Ｊ３を軸受支持したローラ支持枠Ｆ２を、前記フロントバーＲ２に横行案内自在に組み付け、出隅キャンバスＧ１，Ｇ２の頂部１を、前記横行案内枠Ｋ１ａに組み込んだスライダー２２に取り付ける（ＳＱII１〜５）。
（５２）・・・出隅部Ｎ１のコーナー寄りの壁側に、出隅キャンバスＧ１，Ｇ２の横行案内枠Ｋ１ａを取り付け、当該案内枠Ｋ１ａの先端付近の上部位置から後方位置の壁側に、矩形キャンバスＰ２の巻取りローラ３０ａを軸受支持したケーシングＫ２を取り付け、
矩形キャンバスＰ２のフロントバーＲ２を、折畳みアームにより前後方向へ平行移動自在に支持し、当該フロントバーＲ２と前記巻取りローラ３０ａに、矩形キャンバスＰ２の裾部と頂部を取り付け、前記出隅キャンバスＧ１，Ｇ２の巻取りローラＪ１〜Ｊ３を軸受支持したローラ支持枠Ｆ２を、前記フロントバーＲ２に横行案内自在に組み付け、出隅キャンバスＧ１，Ｇ２の頂部１を、前記横行案内枠Ｋ１ａに組み込んだスライダー２２に取り付ける（ＳＱII１〜５）。
【００２８】
（５３）・・・前記（４６）〜（４８）、（５１）、（５２）に記載の複合オーニング装置ＳＱII４・５の２組を、出隅部Ｎ１の一方と他方に向かい合わせて取り付け、一方と他方のローラ支持枠Ｆ２の先端部を突き合わせて連結したことを特徴とする複合オーニング装置（ＷＳＱIV１・２）。
（５４）・・・前記（４６）〜（４８）、（５１）、（５２）に記載の横行案内枠Ｋ１ａに、小車輪２３１を備えたスライダー２２，２２ａを転動自在に組み込み、当該スライダー２２，２２ａに形成したキャンバス嵌合溝２２３に、出隅キャンバスＧ１，Ｇ２の頂部１を取り付ける。
（５５）・・・前記（４７）、（５１）、（５２）、（５４）に記載の出隅キャンバスＧ１，Ｇ２をほぼ直角台形状又は三角形状のいずれかに形成し、当該キャンバス頂部をスライダー２２，２２ａに取り付け、キャンバス裾部を巻取りローラＪ１〜Ｊ３に取り付ける。
（５６）・・・前記（５４）、（５５）に記載のスライダー２２，２２ａと巻取りローラＪ１〜Ｊ３との間に、連結ワイヤ１９３，１９４やベルト、ロープ等の緊張部材を張り渡す。
（５７）・・・前記（５５）、（５６）に記載の一方の連結ワイヤ１９３を、出隅キャンバスＧ１の斜部３に沿って取り付け、他方の連結ワイヤ１９４を、キャンバス裾部３の後端部とキャンバス頂部１の先端部を斜めに結ぶ線に沿って取り付ける。
（５８）・・・前記（５５）、（５６）に記載した三角キャンバスＧ２の両側位置の斜部３ａ，３ｂに沿って連結ワイヤを取り付け、当該ワイヤの基端部を巻取りローラＪ１〜Ｊ３の先後両端付近に取り付け、三角キャンバスＧ２の山頂部から引き出した前記ワイヤの末端部を、スライダー２２ａに取り付ける。
（５９）・・・巻取りローラＪ１〜Ｊ３のローラ支持枠Ｆ２をインナーとし、矩形キャンバスＰ１，Ｐ２のフロントバーＲ２をアウターとする。
【発明を実施するための最良の形態】
【００２９】
以下、本発明の実施形態を添付図面に従って説明するに、第１には、図１〜図２１に示すように、出隅キャンバスＧ１のフロント巻取り構造を備えたシングルタイプの可動オーング装置Ｓ１ａ，Ｓ１ｂ、Ｓ２ａ，Ｓ２ｂ、Ｓ３ａ，Ｓ３ｂの実施態様と、その関連構成を説明する。
次いで、図２２〜図３３に示すように、出隅部Ｎ１の一方と他方に向かい合わせたシングル装置Ｓ１ｃ，Ｓ１ｄ、Ｓ３ｃ，Ｓ３ａ，Ｓ３ｄの２体を、連動化してなる可動オーニング装置ＷＳ１ｃ、ＷＳ１ｄ、ＷＳ３ｃ，ＷＳ３ａ，ＷＳ３ｄの実施形態を説明する。
第３には、図３４〜図４０に示すように、出隅キャンバスＧ１，Ｇ２のフロント巻取り構造を備えた出隅用オーニング装置Ｓ４ａ，Ｓ４ｂ、Ｓ５ａ，Ｓ５ｂと、矩形キャンバスＰ１，Ｐ２のリア巻取り構造を備えた矩形オーニング装置Ｑ１，Ｑ２を複合化してなる可動オーニング装置ＳＱII１〜３の実施形態と、その２体を連動化してなる可動オーニング装置ＷＳIV１・２の実施形態を説明する。
【第１．シングルタイプの可動オーニング装置】
【００３０】
本発明のシングル装置Ｓ１ａ，Ｓ１ｂ、Ｓ２ａ，Ｓ２ｂ、Ｓ３ａ，Ｓ３ｂは、壁側に設けた出隅キャンバスＧ１の横行案内構造と、フロント側にキャンバス巻き取り構造をほぼ共通の構成とした上で、折畳みアームとそのアーム前端部の横行作動構造等を種々変更した３タイプ程度の実施形態に大別することができる。
【第１グループ】
【００３１】
第１グループのシングル装置Ｓ１ａ，Ｓ１ｂは、図１〜図１３に示すように、出隅部Ｎ１のコーナー寄りの壁際部分に取り付けた横行案内枠Ｋ１と、折畳みアームＩ１，Ｉ２，Ｌ１，Ｌ２の前端部に取り付けたローラ支持枠Ｆ１と、当該支持枠Ｆ１に軸受支持した手動又は電動構造の巻取りローラＪ１〜Ｊ３と、当該巻取りローラＪ１〜Ｊ３と前記横行案内枠Ｋ１に組み込んだスライダー２２に張り渡した出隅キャンバスＧ１とからなる。
これは、特許文献１の自己の先行出願１に開示した第１実施例と第２実施例のコーナー用オーニング装置Ｓ１，Ｓ２を、フロント巻取り構造の発明に改変した場合に相当する。
【第１実施例】
【００３２】
第１実施例のシングル装置Ｓ１ａに関する各部の構成と、その作動過程を図１〜図１２に基づいて説明する。
【横行案内枠】
【００３３】
横行案内枠Ｋ１は、図３（Ａ）、図４及び図６（Ａ）、（Ｂ）に示すように、上面を片流れ屋根状とする上板部２１１と、鉛直な前板部２１２と後板部２１３と、水平な底板部２１４とから箱枠形態に形成され、その内、背面の後板部２１３を壁際部分に固定する。
２１５はスライダー２２の案内溝であって、横行案内枠Ｋ１の内側上方部の前後面に長手方向へ形成している。２１６は前板部２１２の下半開口部であって、スライダー２２の前端縁を前方へ若干突出している。
スライダー２２は、平鋼状のフレーム本体２２１と、その先後位置の上面部に水平回転自在に取り付けた２体で１組の小車輪２３１とからなる。その内、小車輪２３１は、フレーム本体２２１の先後両側部に穿設した軸孔２２２に臨ませ、上方から嵌挿した軸ピン２３２を、フレーム本体２２１の先後内側部に挿通した座板２３３のねじ孔に螺合固定している。
そこで、スライダー２２の小車輪２３１を、案内溝２１５に転動自在に嵌め込むことにより、当該スライダー２２が横行案内枠Ｋ１に沿って転動しながら横行スライドする。
２２３はフレーム本体２２１の前端下部に形成したキャンバス嵌合溝、２２４はキャンバス嵌合溝２２３の先端付近に上下に貫通したワイヤ取付孔である。２４１，２４２は横行案内枠Ｋ１の先後両端部に嵌め込んだエンドキャップである。
【折畳みアーム】
【００３４】
Ｉ１，Ｉ２は先後に間隔を隔てて平行に取り付けた２体で１組の直線状の折畳みアーム（以下、Ｉ字アームという）であって、その前端部に巻取りローラＪ１，Ｊ２を軸受支持するケーシング（以下、ローラ支持枠Ｆ１という）を取り付け、壁際部分から斜め前方へ向けて平行に押し出したり、逆に、斜め後方へ向けて平行回転自在に付勢支持している。
２６１，２６２はＩ字アームＩ１，Ｉ２の両端部をピン枢支するブラケットであって、その内、アーム基端部のブラケット２６１は、横行案内枠Ｋ１の先端下部付近で出隅部Ｎ１のコーナー位置と、そこから後方へ適宜間隔を隔てた横行案内枠Ｋ１の中間付近の正面壁Ｗ１に直接取り付けるか、或いは、適宜の後方支持枠（図示せず）を介して間接的に固定され、必要に応じて、Ｉ字アームＩ１，Ｉ２の前傾角度を可変調整自在に取り付ける。
また、アーム前端部のブラケット２６２は、ローラ支持枠Ｆ１の中間付近と後端部の背面下部位置に、前記ブラケット２６１と同じ間隔に固定している。
Ｉ字アームＩ１，Ｉ２の基端部と前端部のいずれか一方又は両方の枢軸部分には、ばね（図示せず）が組み込まれ、その弾性付勢力により、壁際部分に折り畳まれたＩ字アームＩ１，Ｉ２が拡開方向へ平行回転し、ローラ支持枠Ｆ１を斜め前方へ平行に押し出す。
それとは逆に、出隅キャンバスＧ１を巻き取る際には、Ｉ字アームＩ１，Ｉ２が、その弾性付勢力に抗して平行回転し、ローラ支持枠Ｆ１を斜め後方の壁際部分へ平行移動する。
【ローラ支持枠】
【００３５】
ローラ支持枠Ｆ１は、図３（Ａ）、（Ｂ）と図４と図５（Ａ）、（Ｂ）に示すように、前面を緩やかな半弧状とする前板部１２１と、水平な上庇部１２２と底板部１２３と、背面上方へ傾斜した後板部１２４とからなる、ほぼ楔形状の縦長断面形態に形成され、上庇部１２２の後端縁から後方部にかけての部位と、後板部１２４の上半部にかけての部位を、巻取りローラＪ１の組み込み空間部１３１として開口形成している。１２５は底板部１２３の先後両側付近に形成した水抜き孔である。
１４１，１４２はローラ支持枠Ｆ１の先後両端部に嵌め込まれねじ１４６で固定するエンドキャップであって、その内側面の上部後方位置には、丸孔を穿設した軸受部１４３，１４４を突設している。
【巻取りローラ】
【００３６】
１１は巻取りローラＪ１を構成する円筒状のローラ本体であって、その軸線方向にキャンバス嵌合溝１１１を形成している。１５１，１５２はローラ本体１１の先後両端部に嵌め込んだエンドキャップであって、そのキャップ本体部に貫通固定した支軸１５３，１５４を、前記軸受部１４３，１４４に回転自在に嵌め込んでいる。
１６１はエンドキャップ１５１の支軸１５３に嵌合固定したウォーム歯車、１６２はウォーム歯車１６１と噛み合うウォームであって、そのウォーム回転軸１６３を前記エンドキャップ１４１内部の上下軸受部１４５に鉛直支持し、その下端部に操作ロッド（図示せず）と係合するフック１６４を形成している。これにより、巻取りローラＪ１が手動により正逆回転自在に操作される。
【出隅キャンバス】
【００３７】
ここで、図７（Ａ）〜（Ｃ）と図８（Ａ）、（Ｂ）に示す出隅キャンバスＧ１と、それに組み込まれるワイヤ類の構成を説明する。
出隅キャンバスＧ１は、布製や合成樹脂製等のテント生地により、その展開形状をほぼ直角台形状の平面形態に形成され、矩形状のキャンバス本体部Ｘ１と、その一方に張り出した直角三角形状のキャンバス張出部Ｘ２とからなる。
その外形形状としては、キャンバス上縁部の頂辺１（以下、キャンバス頂部という）とキャンバス下縁部の裾辺２（以下、キャンバス裾部という）を天地平行に形成し、キャンバス裾部２の先端部からキャンバス頂部１の先端部にかけて傾斜角度４５度程度の斜辺３（以下、キャンバス斜部という）を裾拡がりに形成し、また、キャンバス裾部２の後端部からキャンバス頂部１の後端部に向けて鉛直な垂辺４（以下、キャンバス鉛直部という）を形成している。
１８１，１８２はキャンバス頂部１とキャンバス裾部２に形成した袋状の通孔であって、その内部にワイヤ１８３，１８４やチューブ、ロープ等の固定部材を挿通する。
１９１はキャンバス頂部１の先端部とキャンバス裾部２の後端部を斜めに結ぶ線上に形成した袋通孔、１９２はキャンバス斜部３に形成した袋通孔であって、この斜めに形成した通孔１９１，１９２の２体が平面視して山形状に形成される。
通孔１９１，１９２の内部には、連結ワイヤ１９３，１９４やベルト、ロープ等の出隅キャンバスＧ１の緊張部材が貫挿され、その内、ワイヤ先端部の係合片１９５，１９６は、通孔１９１，１９２の下端引出口から下方へ引き出され、また、ワイヤ末端部は、通孔１９１，１９２の頂部引出口から上方へ引き出される。
【００３８】
そこで、出隅キャンバスＧ１を巻取りローラＪ１に取り付けるには、巻取りローラＪ１のキャンバス嵌合溝１１１にキャンバス裾部２を臨ませ、その通孔１８２にワイヤ１８４を挿通することで、キャンバス裾部２を抜け止め固定する。
次いで、キャンバス嵌合溝１１１の先後位置に、図３（Ａ）、図４、図５（Ｃ）に示すようにビス１０１を螺合した上で、下端部の引出口から引き出した連結ワイヤ１９３，１９４の係合片１９５，１９６を前記嵌合溝１１１に嵌め込み、その外側にビス１０２を螺合することにより、係合片１９５，１９６が挟み込まれて固定される。
他方、出隅キャンバスＧ１の頂部１を、スライダー２２のキャンバス嵌合溝２２３に臨ませ、キャンバス頂部１の通孔１８１にワイヤ１８３を挿通することで、当該頂部１を抜け止め固定する。
次いで、頂部引出口から引き出した連結ワイヤ１９３，１９４の末端部を、図４と図６（Ｃ）に示すスライダー２２の取付孔２２４の下方から上方へ挿通した上で、キャンバス嵌合溝２２３の先端部からビス１０３を螺合することにより、２体のワイヤ末端部を取付孔２２４に押圧固定する。
これにより、出隅キャンバスＧ１は、巻取りローラＪ１とスライダー２２との間に適度な緊張状態に張設支持される。
【電動構造の巻取りローラ】
【００３９】
図９（Ａ）〜（Ｄ）に示す第２例の巻取りローラＪ２は、ローラ本体１１に内蔵した円柱状の電動モータＭ１により正逆回転する。
電動モータＭ１はローラ本体１１の前方部に挿通され、当該電動モータＭ１の後端部にモータ出力軸３７１を、先端部に固定用軸部３７２をそれぞれ突設している。
３８１はローラ本体１１に嵌合する溝部を備えた伝動ソケットであって、その軸孔３８２にモータ出力軸３７１が嵌め込まれる。１５５はエンドキャップ１５１の貫通孔であって、当該貫通孔１５５に電動モータＭ１の先端部を軸受支持する。
そこで、モータ出力軸３７１に伝動ソケット３８１を嵌合固定した上で、電動モータＭ１をローラ本体１１の先方部に挿通し、電動モータＭ１の先端部にエンドキャップ１５１を挿通した上で、ローラ本体１１の左側先端部に嵌め込み、電動モータＭ１の軸部３７２をエンドキャップ１４１の軸受部１４５の扁平孔（角孔でも可）に嵌合固定する。
これにより、ローラ本体１１の内部に電動モータＭ１が組み込まれる。
従って、電動モータＭ１を駆動すると、その出力軸３７１と伝動ソケット３８１とローラ本体１１が一体的に正逆回転し、出隅キャンバスＧ１の巻き取り、巻き戻し作業を自動化、省力化する。
【出隅キャンバスの巻き取り収納過程】
【００４０】
そこで、図２〜図５、図１１（Ａ）と図１２（Ａ）に示すように、コーナー空間部へ張り出した出隅キャンバスＧ１を巻き取り収納するに、図３〜図５に示す巻取りローラＪ１の場合には、手動装置のフック１６４に操作ロッド（図示せず）を係合して回転操作する。また、図９に示す巻取りローラＪ２の場合には、電動モータＭ１を巻き上げ駆動する。
すると、出隅キャンバスＧ１は、キャンバス裾部２の裏面を内側にし、表面を外側にして巻取りローラＪ１，Ｊ２に上側から巻き上げられ、図１１（Ｂ）〜（Ｄ）と図１２（Ｂ）〜（Ｄ）に示すような作動過程を経て巻き上げられる。
その際、Ｉ字アームＩ１，Ｉ２は、その基端部に組み込んだばね等による弾性付勢力に抗して後方へ向けて平行回転し、ローラ支持枠Ｆ１を斜め後方の壁際部分へ向けて平行移動しながら折り畳まれる。
それと同時に、巻き上げに伴って形成される出隅キャンバスＧ１の緊張力が、キャンバス頂部１のスライダー２２に作用し、その上、連結ワイヤ１９３，１９４による引張力がスライダー２２の先端部に作用し、その結果、キャンバス頂部１のスライダー２２が、横行案内枠Ｋ１に沿ってスライド案内されながら後退移動する。
従って、出隅キャンバスＧ１は、図１１（Ｄ）や図１２（Ｄ）に示すように、巻取りローラＪ１，Ｊ２に巻き取られ、また、Ｉ字アームＩ１，Ｉ２は、壁際部分に倒伏状態に畳み込まれ、ローラ支持枠Ｆ１と重ね合わされてコンパクトに壁面収納される。
前記の場合、連結ワイヤ１９３，１９４は、キャンバス頂部１のスライダー２２が、横行案内枠Ｋ１に沿ってスライドするように後方へ引っ張り作用するに止まらず、出隅キャンバスＧ１を巻き取る際に、当該キャンバスに対する面内変形を防止し、出隅キャンバスＧ１の円滑で、規則的な巻き取りを可能とする。
【００４１】
尚、出隅キャンバスＧ１を巻取りローラＪ１，Ｊ２に巻き上げる際には、その巻き取り幅の長いキャンバス裾部２が内面側になり、徐々に巻き取り幅が短くなり、最後に幅の短いキャンバス頂部１が巻き上げられる。
その為、特許文献１（先行出願１）の図２２〜図２７と、図４７〜図５１に示すような、キャンバス張出部Ｘ２の密着巻き付け防止策や、巻取りローラ径の嵩上げ等のことを考慮する必要がない、との長所を備えている。
【出隅キャンバスの巻き戻し展開過程】
【００４２】
次に、巻取りローラＪ１，Ｊ２に巻き取られた出隅キャンバスＧ１を、出隅部Ｎ１のコーナー空間部へ張り出す場合には、手動装置のフック１６４に係止した操作ロッドを、前記とは逆方向へ回転操作するか、或いは、電動モータＭ１を逆転駆動する。
すると、巻取りローラＪ１，Ｊ２に巻き上げられた出隅キャンバスＧ１が巻き戻され、また、壁際部分に折り畳まれたＩ字アームＩ１，Ｉ２の弾性付勢力が解放され、その押圧付勢力でＩ字アームＩ１，Ｉ２が拡開方向へ付勢回転し、図１１（Ｄ）〜（Ａ）や図１２（Ｄ）〜（Ａ）に示すように、巻取りローラＪ１，Ｊ２とローラ支持枠Ｆ１を斜め前方のコーナー空間部へ向けて平行移動して押し出す。
その際、ローラ支持枠Ｆ１に作用するＩ字アームＩ１，Ｉ２の弾性付勢力と、出隅キャンバスＧ１の緊張力、並びに、巻き戻される連結ワイヤ１９３，１９４の引張力により、スライダー２２に対する前進方向への引張力が作用し、当該スライダー２２を横行案内枠Ｋ１に沿ってスライドしながら前進移動する。
言い換えれば、Ｉ字アームＩ１，Ｉ２の弾性付勢力によるローラ支持枠Ｆ１の斜め前方への押し出しと、巻取りローラＪ１，Ｊ２の巻き戻し回転と、スライダー２２の前進移動により、出隅キャンバスＧ１が出隅部Ｎ１のコーナー空間部に展開して張り出される。
従って、２体のシングル装置Ｓ１ａを、図１（Ａ）、（Ｂ）に示すように、正面壁Ｗ１のコーナー位置と側面壁Ｗ２のコーナー位置に、直角（出隅部の角度によっては、鈍角や鋭角でも可）に突き合わせて取り付けた上で、それぞれの巻取りローラＪ１，Ｊ２に巻き上げられた出隅キャンバスＧ１を巻き戻すことにより、２体の出隅キャンバスＧ１が斜め前方へ向かい合わせた状態に展開して張り出され、それにより出隅部Ｎ１のコーナー空間部を含む建物外回りが体裁良く覆われる。
【従動構造の巻取りローラ】
【００４３】
前記の場合には、巻取りローラＪ１，Ｊ２を手動又は電動装置により正逆回転する場合について説明したが、図１０に示す第３例の巻取りローラＪ３は、それを従動ローラとして機能する場合に組み込まれる。
例えば、シングル装置Ｓ１ａのＩ字アームＩ１，Ｉ２を駆動側とする、自己の先行出願１の図４２〜図４４（特許文献１参照。）に示すような場合や、後記する図３４〜図４０に示す複合装置ＳＱII１〜５における矩形オーニング装置Ｑ１，Ｑ２の巻取りローラ３０，３０ａを、駆動側とするような場合との相対的な関係で採択される。
図１０において、４７はローラ本体１１のコイルばね、４９はコイルばね４７を巻装支持する固定軸、４８は固定軸４９とコイルばね４７の軸受ソケットである。
そこで、固定軸４９の後端部４９２を軸受ソケット４８の中央通孔４８１に嵌め込み、また、固定軸４９に巻装したコイルばね４７の後端部４７２を、軸受ソケット４８の偏芯位置の通孔４８２に嵌め込む。
他方、固定軸４９の先端部４９１は、エンドキャップ１５１の中央通孔１５６を貫挿した上で、エンドキャップ１４１の軸受部１４５の角孔に嵌め込み、また、コイルばね４７の先端部４７１を、エンドキャップ１５１の通孔１５７に嵌挿する。
これにより、コイルばね４７がローラ本体１１の前部位置に組み込まれる。
従って、巻取りローラＪ３が従動回転すると、ローラ本体１１のエンドキャップ１５１を介してコイルばね４７が徐々に圧縮され、当該コイルばね４７に弾性エネルギーが蓄積されたり、或いは、蓄積された弾性エネルギーが放出される。
具体的には、巻取りローラＪ３への出隅キャンバスＧ１の巻き上げが完了した時点で、若干の予圧を残して弾性エネルギーが放出される。
それとは逆に、出隅キャンバスＧ１が展開されるに伴って、コイルばね４７に弾性エネルギーが徐々に蓄積され、展開完了時に最大の弾性付勢力が蓄積される。
【第２実施例】
【００４４】
次に、図１３（Ａ）〜（Ｅ）に示す第２実施例のシングル装置Ｓ１ｂを説明する。
これは、第１実施例のＩ字アームＩ１，Ｉ２に代えて、２段階の屈伸動作で平行回転する先後一対の逆Ｌ字状の折畳みアームＬ１，Ｌ２（以下、Ｌ字アームという）に変更した場合である。
Ｌ字アームＬ１，Ｌ２は、折れ曲げ自在に連結した後部リンク２７１と前部リンク２７２とからなり、その二つ折れ連結部に連接ロッド２７３を差し渡して連結している。
Ｌ字アームＬ１，Ｌ２の基端部のブラケット２６１部分、即ち、後部リンク２７１の基端部には、相対的に弱いばね弾力のものが組み込まれ、また、後部リンク２７１と前部リンク２７２の折れ曲げ連結部には、相対的に強いばね弾力のものを組み込む。
そこで、図１３（Ａ）に示すように、コーナー空間部に張り出した出隅キャンバスＧ１を、巻取りローラＪ１，Ｊ２に巻き取る際には、最初に、弱目のばね弾力で付勢した後部リンク２７１の一対が、その弾性付勢力に抗して後方へ平行回転し、ローラ支持枠Ｆ１を斜め後方へ平行移動しながら、しかも、キャンバス頂部１のスライダー２２を横行案内枠Ｋ１に沿って、当該案内枠Ｋ１の中間付近まで後退スライドし、後部リンク２７１を図１３（Ａ）〜（Ｃ）に示す揺動過程を経て壁際部分に折り畳む。
更に、巻取りローラＪ１，Ｊ２を巻き上げ回転すると、次に、強目のばね弾力で付勢した前部リンク２７２の一対が、その弾性付勢力に抗してローラ支持枠Ｆ１を斜め後方へ平行移動しながら、しかも、キャンバス頂部１のスライダー２２を横行案内枠Ｋ１に沿って当該案内枠の後半部まで後退スライドし、前部リンク２７２を図１３（Ｃ）〜（Ｅ）に示す揺動過程を経て壁際部分に折り畳む。
これにより、出隅キャンバスＧ１は、図１３（Ｅ）に示すように、巻取りローラＪ１，Ｊ２に巻き取られ、また、Ｌ字アームＬ１，Ｌ２は、壁際部分に押し広げられた状態に畳み込まれ、ローラ支持枠Ｆ１と重ね合わされてコンパクトに壁面収納される。
【００４５】
それとは逆に、出隅キャンバスＧ１を巻き戻す際には、最初に、強目のばね弾力で付勢した前部リンク２７２の一対が、その弾性付勢力により斜め前方へ向けて平行回転し、ローラ支持枠Ｆ１を斜め前方へ平行移動しながら押し出し、しかも、キャンバス頂部１のスライダー２２を横行案内枠Ｋ１に沿って、その中間付近まで横行スライドしながら前進移動する。
前部リンク２７２が、図１３（Ｃ）に示すような拡開角度まで揺動すると、次に、弱目のばね弾力で付勢した後部リンク２７１の一対が斜め前方へ向けて平行回転し、図１３（Ａ）に示すような拡開角度まで揺動することで、ローラ支持枠Ｆ１を更に斜め前方へ向けて平行移動しながら押し出し、しかも、キャンバス頂部１のスライダー２２を横行案内枠Ｋ１に沿ってその前半部まで前進スライドする。
これにより、出隅部Ｎ１のコーナー空間部を含むコーナー付近の前方が覆われる。
斯様に、第２実施例の場合には、Ｌ字アームＬ１，Ｌ２とその連接ロッド２７３とからなるリンク機構により、アーム前端部のローラ支持枠Ｆ１を斜め前方のコーナー空間部に向けて２段階の屈伸動作で平行移動するので、第１実施例のシングル装置Ｓ１ａに組み込んだＩ字アームＩ１，Ｉ２の場合に比して、より一段と斜め前方までローラ支持枠Ｆ１を押し出すことを可能とする。
【第２グループ】
【００４６】
第２グループのシングル装置Ｓ２ａ，Ｓ２ｂは、図１４〜図１６に示すように、出隅部Ｎ１の壁際部分に取り付けた横行案内枠Ｋ１と、折畳みアームＶ１，Ｖ２の前端部に取り付けたローラ支持枠Ｆ１と、当該支持枠Ｆ１に軸受支持した巻取りローラＪ１，Ｊ２と、当該巻取りローラＪ１，Ｊ２とスライダー２２に取り付けた出隅キャンバスＧ１とからなる。
これは、自己の先行出願６に開示する第１と第２実施形態の可動オーニング装置Ｓ１ａ，Ｓ２ａ等を、フロント巻取り構造の発明に改変した場合に相当する。
【第３実施例】
【００４７】
そこで、図１４（Ａ）〜（Ｅ）と図１５（Ａ）〜（Ｃ）に示す第３実施例のシングル装置Ｓ２ａを説明する。
これは、第１実施例のＩ字アームＩ１，Ｉ２を先後一対の横Ｖ字状の折畳みアームＶ１，Ｖ２（以下、Ｖ字アームという）に置換した上で、ローラ支持枠Ｆ１の底部位置に、図１８（Ｂ）に示すような横行操作用掛止部２８（掛止孔でも可）を突出形成している。
出隅部Ｎ１のコーナー端部には、Ｖ字アームＶ１の基端部のブラケット２６１が取り付けられ、その前端部のブラケット２６２は、ローラ支持枠Ｆ１の先端付近に取り付けている。Ｖ字アームＶ２の基端部のブラケット２６１は、横行案内枠Ｋ１の後方下部位置で、その全長の３／４程度の位置、即ち、横行案内枠Ｋ１の後端部から１／４程度の後方下部位置に取り付けられ、その前端部のブラケット２６２は、同様にローラ支持枠Ｆ１の後端部から１／４程度の位置に取り付けている。
【００４８】
ところで、図１５（Ａ）、（Ｂ）の上下位置に示す部分拡大図において、２０１は後部リンク２５１の後端部の片側に突出形成したストッパー、２０２は前部リンク２５２の前端部の片側に突出したストッパーであって、図１５（Ａ）の段階では、装置先方のＶ字アームＶ１の後部リンク２５１が、図中の揺動角度α１でブラケット２６１に当たることで回転が制止され、装置後方のＶ字アームＶ２の前部リンク２５２が、同じく揺動角度α１でブラケット２６２に当たることで回転が制止される。
また、図１５（Ｂ）の段階では、装置先方のＶ字アームＶ１の前部リンク２５２が、図中の揺動角度β２でブラケット２６２に当たることで回転が制止され、装置後方のＶ字アームＶ２の後部リンク２５１が、同じく揺動角度β２でブラケット２６１に当たることで回転が制止される。
例えば、図１５（Ａ）に示す状態の場合には、Ｖ字アームＶ１の後部リンク２５１と正面壁Ｗ１の水平線が平面交差する角度α１と、Ｖ字アームＶ２の前部リンク２５２とローラ支持枠Ｆ１が平面交差する角度α１が、共に「７５度」程度のところで、各リンク２５１，２５２に対する揺動がストッパー２０１，２０２により回転規制され、その際、Ｖ字アームＶ１，Ｖ２の二つ折れ角度θ１を「１３０度」程度としている。
これにより、出隅部Ｎ１のコーナー空間部を含む建物外回りに張り出した出隅キャンバスＧ１の展開状態を安定して維持する。
【００４９】
また、図１５（Ｂ）に示す状態の場合には、Ｖ字アームＶ１の前部リンク２５２とローラ支持枠Ｆ１が平面交差する角度β２と、Ｖ字アームＶ２の後部リンク２５１と正面壁Ｗ１が平面交差する角度β２が、共に「４５度」程度のところで、各リンク２５２，２５１に対する揺動がストッパー２０２，２０１により回転規制され、その際、Ｖ字アームＶ１，Ｖ２の二つ折れ角度θ２を「８５度」程度としている。
これにより、前方へ展開した出隅キャンバスＧ１を、巻取りローラＪ１，Ｊ２へ巻き取る際の位置決めがなされ、Ｖ字アームＶ１，Ｖ２が先後対称に二つ折れされながら折り畳まれることで、巻取りローラＪ１，Ｊ２とそのローラ支持枠Ｆ１が前後方向へ直線的に平行移動する。
【出隅キャンバスの後退横行過程と巻取り収納過程】
【００５０】
そこで、図１４（Ａ）と図１５（Ａ）に示すように、コーナー空間部へ張り出した出隅キャンバスＧ１を、巻取りローラＪ１，Ｊ２に巻き上げるには、先ず、ローラ支持枠Ｆ１の掛止部２８に、下方から操作ロッド（図示せず）の先端フック部を引っ掛けた上で後方へ引っ張り操作する。
その際、掛止部２８が下方から手の届く程度の高さにある場合には、当該掛止部２８を把持した上で、後方へ向かって引っ張る。
すると、出隅キャンバスＧ１は、その展開状態を保持したまま後方へ引き下げられ、それに追随してキャンバス頂部１のスライダー２２も、横行案内枠Ｋ１に沿って後退移動する。それと同時に、図１５（Ａ）に示すように、二つ折れ角度θ１で拡開付勢していたＶ字アームＶ１，Ｖ２は、その拡開付勢力に抗して内側へ若干折り畳まれ、図１５（Ｂ）の複数の想像線に示すように、装置先方のＶ字アームＶ１の二つ折れ連結部を斜め後方へ若干引き上げるように揺動回転し、また、装置後方のＶ字アームＶ２の二つ折れ連結部を斜め下方へ若干引き下げるように揺動回転することにより、図１５（Ｂ）の実線に示すような、先後対称でＶ字状の折れ曲げ状態に形態変化する。
それにより、巻取りローラＪ１，Ｊ２のローラ支持枠Ｆ１を、図１４（Ｂ）〜（Ｃ）や図１５（Ｂ）に示すように装置後方へ平行に横行スライドし、キャンバス頂部１のスライダー２２を横行案内枠Ｋ１の後半部まで引き下げられる。
【００５１】
次いで、第1例の巻取りローラＪ１の場合には、手動装置のフック１６４に操作ロッド（図示せず）を係合して回転操作する。また、第２例の巻取りローラＪ２の場合には、電動モータＭ１を巻き上げ駆動する。
すると、出隅キャンバスＧ１は、キャンバス裾部２の表面を外側にし、裏面を内側にして、図１４（Ｃ）〜（Ｅ）や図１５（Ｃ）の複数の想像線に示すように、巻取りローラＪ１、Ｊ２に巻き上げられる。その際、Ｖ字アームＶ１，Ｖ２は、その二つ折れ連結部に組み込んだばね等による弾性付勢力に抗して折り畳まれ、巻取りローラＪ１，Ｊ２とそのローラ支持枠Ｆ１を、壁際部分へ向けて直線的に後方へ向かって平行移動し、装置全体を壁際部分へコンパクトに折り畳み収納する。
【出隅キャンバスの巻戻し展開過程と横行前進過程】
【００５２】
次に、巻取りローラＪ１、Ｊ２に巻き取られた出隅キャンバスＧ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、巻取りローラＪ１、Ｊ２に巻き上げられた出隅キャンバスＧ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、巻取りローラＪ１，Ｊ２とそのローラ支持枠Ｆ１を平行移動しながら前方へ向けて直線的に押し出す。
これにより、出隅キャンバスＧ１は、正面壁Ｗ１の前方へ巻き戻されながら展開される。
【００５３】
その際、図１５（Ｂ）に示すように、Ｖ字アームＶ１の前部リンク２５２のストッパー２０２が、当該Ｖ字アームＶ１のそれ以上の拡開を規制し、Ｖ字アームＶ２の後部リンク２５１のストッパー２０１が、当該Ｖ字アームＶ２のそれ以上の拡開を規制する。
その為、Ｖ字アームＶ１，Ｖ２の拡開角度θ２が、「８５度」程度の半開き状態の段階で、展開した出隅キャンバスＧ１に対するそれ以上の前方への展開を拘束している。
この段階で、出隅キャンバスＧ１の装置後方への移動は、前記ストッパー２０２、２０１により制止されるものの、それとは逆の装置先方のコーナー空間部への横行操作は、自由に行える状態にある。
そこで、ローラ支持枠Ｆ１の掛止部２８に、下方から操作ロッド（図示せず）の先端フック部を引っ掛けた上で、出隅部Ｎ１のコーナー空間部へ向けて横行操作するか、掛止部２８を把持した上でコーナー空間部へ向けて横方向へ押し出し操作する。
すると、展開した出隅キャンバスＧ１とローラ支持枠Ｆ１は、装置先方のコーナー空間部へ向けて横行し、その際、キャンバス頂部１のスライダー２２は、横行案内枠Ｋ１に沿って前進スライドしながら移動する。
それにより、出隅キャンバスＧ１は、図１４（Ｂ）〜（Ａ）や図１５（Ｂ）〜（Ａ）に示すように前進移動し、そのキャンバス張出部Ｘ２が出隅部Ｎ１のコーナー空間部へ向けて押し出される。
【００５４】
その際、Ｖ字アームＶ１の前部リンク２５２は、図１５（Ｂ）の交差角度β２から徐々に装置先方へ引き出されることで、図１５（Ａ）の交差角度β１の緩やかな傾斜勾配に変化し、また、後部リンク２５１との二つ折れ角度θ２が「９０度弱」程度の状態から、その二つ折れ角度が徐々に広げられ、図１５（Ａ）に示す二つ折れ角度θ１が「１３０度」程度に後部リンク２５１が立ち上げられ、それ以上の揺動回転が制止される。
他方、Ｖ字アームＶ２の前部リンク２５２は、図１５（Ｂ）の交差角度α２から徐々に装置先方へ引き出されることで、図１５（Ａ）の交差角度α１の急な傾斜勾配に変化し、また、後部リンク２５１との二つ折れ角度θ２が「９０度弱」程度の状態から、その二つ折れ角度が徐々に広げられ、図１５（Ａ）に示す二つ折れ角度θ１が「１３０度」程度になった段階で、それ以上の揺動回転が制止される。
これにより、コーナー空間部へ張り出した出隅キャンバスＧ１とローラ支持枠Ｆ１は、Ｖ字アームＶ１，Ｖ２の二つ折れ角度が、「θ２からθ１」に押し広げながら姿勢変化し、交差角度α１の段階でＶ字アームＶ１，Ｖ２のそれ以上の回転が規制されることで、安定した展開・張り出し状態が形成される。
【００５５】
尚、前記の場合、出隅キャンバスＧ１の前方への巻き戻し幅や、連結ワイヤ１９３，１９４の長さを規制することにより、Ｖ字アームＶ１，Ｖ２の半開き角度を適正に調整することができる。その場合には、後部リンク２５１や前部リンク２５２の角度をストッパー２０１，２０２により規制する必要はない。
また、装置後方のＶ字アームＶ２の基端部と前端部を、横行案内枠Ｋ１とローラ支持枠Ｆ１の後端付近に取り付けることもできる。
【第４実施例】
【００５６】
図１６（Ａ）〜（Ｅ）に示すシングル装置Ｓ２ｂは、第３実施例の場合に比してＶ字アームＶ１，Ｖ２の後部リンク２５１と前部リンク２５２のリンク長さを相対的に長尺とし、装置先方のＶ字アームＶ１の取付位置を同一とした上で、装置後方のＶ字アームＶ２の取付位置を変更した場合であって、当該Ｖ字アームＶ２の基端部のブラケット２６１を、横行案内枠Ｋ１の後端下部位置に取り付け、その前端部のブラケット２６２を、ローラ支持枠Ｆ１の後端部に取り付けている。
そこで、図１６（Ａ）に示すように出隅キャンバスＧ１がコーナー空間部に張り出した段階で、Ｖ字アームＶ１が逆Ｌ字状に折れ曲げられることで、その前部リンク２５２をローラ支持枠Ｆ１の前半下部位置に重ね合わされ、その後部リンク２５１を平面視して鉛直状態にしている。
他方、装置後方のＶ字アームＶ２が、天地逆Ｌ状に折り曲げられることで、その後部リンク２５１を横行案内枠Ｋ１の後半下部位置に重ね合わされ、その前部リンク２５２を平面視して鉛直となるようにリンク構成している。
言い換えれば、図１５（Ａ）に示す角度α１を「９０度」、θ１を「９０度」、β１を「０度」とした場合としている。
また、前方へ平行に押し出されたローラ支持枠Ｆ１を横行操作する際におけるＶ字アームＶ１，Ｖ２の二つ折れ角度θ２は、図１６（Ｃ）の場合には、「６０度」程度の半開き具合としている。
そこで、図１６（Ａ）に示すように、コーナー空間部に張り出した出隅キャンバスＧ１のローラ支持枠Ｆ１を、装置後方へ向けて横行操作すると、Ｖ字アームＶ１，Ｖ２は、図１６（Ｂ）の中間過程を経て図１６（Ｃ）に示すように二つ折れされ、その二つ折れ角度が「６０度」程度の半開き状態に形成される。
その他の構成と作動過程は、第３実施例の場合と同様であるので、その説明を省略する。
【第３グループ】
【００５７】
第３グループのシングル装置Ｓ３ａ，Ｓ３ｂは、図１７〜図２０に示すように、出隅部Ｎ１の壁際部分に取り付けた横行案内枠Ｋ１と、折畳みアームＶ１，Ｖ２の前端部に取り付けた横行案内レールＲ１と、当該案内レールＲ１に嵌挿したローラ支持枠Ｆ１と、当該支持枠Ｆ１に軸受支持した巻取りローラＪ１，Ｊ２と、当該巻取りローラＪ１，Ｊ２とスライダー２２に取り付けた出隅キャンバスＧ１とからなる。
【第５実施例】
【００５８】
そこで、図１７（Ａ）〜（Ｅ）と図１８（Ａ）に示す第５実施例のシングル装置Ｓ３ａを説明する。
これは、自己の先行出願３・４に開示する第１と第４実施例のシングル装置Ｓ１ａを、フロント巻取り構造の発明に改変した場合に相当する。
図１８に示すローラ支持枠Ｆ１ａには、前板部１２１の背面に案内突条１２６，１２７が上下に間隔を隔てて突設され、その後端縁の上下内側位置に案内溝を形成している。
Ｒ１はローラ支持枠Ｆ１ａの横行案内レールであって、ほぼ鉛直な板状のレール部３３１と、その背面中央部から後方へＬ字状に折れ曲げた水平アーム部３３２と鉛直アーム部３３３とからなり、その内、鉛直アーム部３３３をＶ字アームＶ１，Ｖ２のブラケット２６２に固定している。
従って、横行案内レールＲ１のレール部３３１の上下両端部に、ローラ支持枠Ｆ１ａの案内突条１２６，１２７を嵌め込むことにより、当該ローラ支持枠Ｆ１ａが横行案内レールＲ１に沿って横行スライドする。
その他の構成は、図３（Ａ）に示す場合と同様であり、同一の符号を付してその説明を省略する。
【出隅キャンバスの後退と巻き取り収納過程】
【００５９】
そこで、図１７（Ａ）に示すように、コーナー空間部に張り出した出隅キャンバスＧ１を巻き取るには、先ず、ローラ支持枠Ｆ１ａの掛止部２８に、下方から操作ロッド（図示せず）の先端フック部を引っ掛けた上で、装置後方へ横行操作する。
すると、キャンバス裾部２のローラ支持枠Ｆ１ａが横行案内レールＲ１に沿って後退スライドし、それに追随してキャンバス頂部１のスライダー２２も、横行案内枠Ｋ１に沿って後退スライドする。それにより、出隅キャンバスＧ１は、その展開状態を保持したまま、図１７（Ｂ）に示すように装置後方へ平行に引き下げられる。
次いで、第1例の巻取りローラＪ１の場合には、手動装置のフック１６４に操作ロッド（図示せず）を係合して回転操作する。また、第２例の巻取りローラＪ２の場合には、電動モータＭ１を巻き上げ駆動する。
すると、出隅キャンバスＧ１は、キャンバス裾部２の表面を外側にし、裏面を内側にして、図１７（Ｂ）〜（Ｄ）に示すように、巻取りローラＪ１、Ｊ２に巻き上げられる。
その際、Ｖ字アームＶ１，Ｖ２は、その二つ折れ連結部に組み込んだばね等による弾性付勢力に抗して折り畳まれ、横行案内レールＲ１とローラ支持枠Ｆ１ａを、壁際部分へ向けて直線的に平行移動しながら折り畳み収納する。
【出隅キャンバスの巻き戻し展開と前進過程】
【００６０】
次に、巻取りローラＪ１、Ｊ２に巻き取られた出隅キャンバスＧ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、巻取りローラＪ１、Ｊ２に巻き上げられた出隅キャンバスＧ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、図１７（Ｄ）〜（Ｂ）に示すように、ローラ支持枠Ｆ１ａを平行移動しながら前方へ向けて直線的に押し出す。
これにより、出隅キャンバスＧ１は、正面壁Ｗ１の前方へ巻き戻されて緊張状態に展開支持される。
【００６１】
次いで、ローラ支持枠Ｆ１ａの掛止部２８に、下方から操作ロッド（図示せず）の先端フック部を引っ掛けた上で、コーナー空間部へ向けてスライド操作する。
すると、キャンバス裾部２のローラ支持枠Ｆ１ａは横行案内レールＲ１に沿って前進移動し、それに追随して、キャンバス頂部１のスライダー２２も横行案内枠Ｋ１に沿って横行スライドする。
それにより、出隅キャンバスＧ１は、その展開状態を保持したまま、図１７（Ｂ）〜（Ａ）に示すように前進移動し、そのキャンバス張出部Ｘ２がコーナー空間部へ向けて張り出され、出隅部Ｎ１のコーナー空間部を含む建物外回りが覆われる。
前記の場合、連結ワイヤ１９３，１９４は、展開した出隅キャンバスＧ１を横行操作する際に、当該出隅キャンバスＧ１に対する面内変形を防止し、スライダー２２と出隅キャンバスＧ１の横行移動を円滑、確実なものとする。
【第６実施例】
【００６２】
図１９（Ａ）〜（Ｄ）と図２０（Ａ）〜（Ｃ）に示す第６実施例のシングル装置Ｓ３ｂを説明する。
これは、前記した第１実施例と第５実施例の折衷案と言うべきもので、第５実施例の装置先端部のＶ字アームＶ１を、平面視して逆ｙ字状で、拡開自在に付勢支持した折畳みアームＹ１（以下、Ｙ字アームという）に置換した場合である。
このＹ字アームＹ１は、主リンク２９１と、その中間部付近に後端部をピン枢支し、前記主リンク２９１の半分程度の長さとする副リンク２９２とからなる。
その内、主リンク２９１の前端部の軸ピン２６３は、ローラ支持枠Ｆ１ａの底板部１２３の中間付近に突設している。また、副リンク２９２の前端部にピン枢支したブラケット２６２は、横行案内レールＲ１の先端部を固定している。
そして、主リンク２９１の基端部の枢軸部分には、適度な弾性を有するばね（図示せず）が組み込まれ、その弾性力により主リンク２９１が拡開方向へ揺動するように付勢している。また、主リンク２９１のリンク中間部と副リンク２９２との二つ折れ連結部には、ばねや引張ワイヤ（図示せず）等が組み込まれ、当該連結部を拡開方向へ押圧付勢している。
その他の構成は、第５実施例の場合と同様であるので、同一の図面符号を付してその説明を省略する。
【出隅キャンバスの巻き取り収納過程】
【００６３】
そこで、図１９（Ａ）に示すように、コーナー空間部に張り出した出隅キャンバスＧ１を巻き上げると、それに連れて、図１９（Ｂ）〜（Ｄ）に示すように、Ｙ字アームＹ１の内、主リンク２９１のリンク後半部と副リンク２９２とからなるリンク部分と、装置後方のＶ字アームＶ２が、その二つ折れ連結部に組み込んだばね等による弾性付勢力に抗して折り畳まれ、その内、主リンク２９１の前端部は、その基端部に組み込んだばね等による弾性付勢力に抗して後方回転することで押し広げられる。
すると、ローラ支持枠Ｆ１ａが横行案内レールＲ１に沿って後方へスライド案内されながら、装置全体を斜め後方の壁際部分へ向けて平行移動すると同時に、巻き上げに伴って形成される出隅キャンバスＧ１の緊張力が、キャンバス頂部１のスライダー２２に作用し、その上、連結ワイヤ１９３，１９４による引張力がスライダー２２の先端部に作用し、その結果、スライダー２２が横行案内枠Ｋ１に沿って後退移動する。
これにより、出隅キャンバスＧ１は、図１９（Ｄ）に示すように、ローラ支持枠Ｆ１ａの巻取りローラＪ１，Ｊ２に巻き取られて壁面収納される。
【出隅キャンバスの巻き戻し展開過程】
【００６４】
次に、巻取りローラＪ１、Ｊ２に巻き上げられた出隅キャンバスＧ１を、コーナー空間部へ向けて張り出す場合には、手動装置のフック１６４に係止した操作ロッドを、前記とは逆方向へ回転操作するか、或いは、電動モータＭ１を逆転駆動する。
すると、巻取りローラＪ１、Ｊ２に巻き上げられた出隅キャンバスＧ１が巻き戻され、また、壁際部分に折り畳まれたＹ字アームＹ１とＶ字アームＶ２の弾性付勢力が解放され、その押圧付勢力で両アームＹ１，Ｖ２が拡開方向へ付勢回転し、図１９（Ｄ）〜（Ａ）に示すように、横行案内レールＲ１に沿ってローラ支持枠Ｆ１ａをスライドしながら前進移動すると共に、斜め前方へ向けて平行移動しながら直線的に押し出す。
その際、ローラ支持枠Ｆ１ａに作用するＹ字アームＹ１の主リンク２９１の前方への弾性付勢力と、出隅キャンバスＧ１の緊張力、並びに、巻き戻される連結ワイヤ１９３，１９４の引張力により、キャンバス頂部１のスライダー２２に対する前進方向への引張力が作用し、当該スライダー２２を横行案内枠Ｋ１に沿ってスライドしながら前進移動する。
それにより、出隅キャンバスＧ１は、図１９（Ａ）に示すように出隅部Ｎ１のコーナー空間部を含む建物外回りに張り出される。
従って、折畳みアームを、前記したＹ字アームＹ１とＶ字アームＶ２の組み合わせとした場合には、第５実施例に示すＶ字アームＶ１，Ｖ２の組み合わせの場合に比して、出隅キャンバスＧ１の巻き上げ、巻き戻しと、ローラ支持枠Ｆ１ａの平行移動が同期して効率よく行われる。
【従来の可動オーニング装置との組み合わせ】
【００６５】
ところで、前記したシングル装置Ｓ１ａ，Ｓ１ｂ、Ｓ２ａ，Ｓ２ｂ、Ｓ３ａ，Ｓ３ｂの後半部位の直線区間には、図２１（Ａ）〜（Ｃ）に示すように、矩形キャンバスＰ１を展開したり、巻き取る従来構造、即ち、リヤ巻取り構造の可動オーニング装置Ｑ（以下、従来装置という）を組み合わせることができる。
同図において、Ｋ２は矩形キャンバスＰ１を巻き取り収納するケーシングであって、その内部には、手動操作又は電動により正逆回転する巻取りローラ３０が組み込まれ、矩形キャンバスＰ１の頂部が取り付けられる。
３１は矩形キャンバスＰ１の裾部を固定するフロントバーであって、前記したローラ支持枠Ｆ１，Ｆ１ａとほぼ同一形態とするか、或いは、図３５（Ａ）〜（Ｃ）に示すフロントバーＲ２と同一形態とすることが望ましい。
Ｖ３，Ｖ４は一対の二つ折れ自在なＶ字アームであって、第５実施例に示すＶ字アームＶ１，Ｖ２の場合と同様に、ばねや引っ張りワイヤ等によりＶ字アームＶ３，Ｖ４を押し広げる方向へ付勢している。
【００６６】
そこで、前記したシングル装置Ｓ１ａ，Ｓ１ｂ、Ｓ２ａ，Ｓ２ｂ、Ｓ３ａ，Ｓ３ｂの横行案内枠Ｋ１の後半底部位置に、ケーシングＫ２の先端寄りの前半部位をほぼ重ね合わせて取り付け、また、Ｖ字アームＶ３，Ｖ４の基端部を正面壁Ｗ１の直線区間に適宜の間隔を隔てて取り付けている。
従って、従来装置Ｑの巻取りローラ３０を、手動ハンドルや電動モータ（図示せず）で巻き上げ回転すると、当該巻取りローラ３０に矩形キャンバスＰ１の裏面側を内側にし、表面側を外側にして巻き取ることで上巻きされ、他方、Ｖ字アームＶ３，Ｖ４がその弾性付勢力に抗して内側へ折り畳まれ、フロントバー３１を平行移動することで壁面収納される。
斯様に、前記したシングル装置Ｓ１ａ，Ｓ１ｂ、Ｓ２ａ，Ｓ２ｂ、Ｓ３ａ，Ｓ３ｂのいずれかと、従来装置Ｑを組み合わせることにより、各種建築物のコーナー空間部を含む外廻りが、恰も一体物のように統一的に体裁性良く覆われる。
【横行案内枠の他の実施形態】
【００６７】
前記したシングル装置Ｓ１ａ，Ｓ１ｂ、Ｓ２ａ，Ｓ２ｂ、Ｓ３ａ，Ｓ３ｂでは、出隅部Ｎ１の壁際部分に取り付けた横行案内枠Ｋ１の内部に、スライダー２２を転動自在に組み込み、当該スライダー２２のキャンバス嵌合溝２２３に出隅キャンバスＧ１の頂部１を嵌め込んだインナースライダー構造としたが、それとは逆のアウタースライダー構造とすることもできる。
例えば、図示しないが、横行案内枠Ｋ１を管状や棒状とし、その先後位置を壁際部分に両端固定し、当該案内枠の外側にスライダーをスライド自在に嵌挿し、当該アウタースライダーの軸線方向にキャンバス嵌合溝を形成し、出隅キャンバスＧ１の頂部１を嵌め込む。
そこで、ローラ支持枠Ｆ１，Ｆ１ａが横行スライドしたり、横行操作することにより、アウタースライダーが横行案内枠の先後いずれかの方向へスライドする。
【第２．連動構造の可動オーニング装置】
【００６８】
前記の場合は、第１〜第６実施例のシングル装置Ｓ１ａ，Ｓ１ｂ、Ｓ２ａ，Ｓ２ｂ、Ｓ３ａ，Ｓ３ｂを出隅部Ｎ１の一方のコーナー位置に取り付けるか、或いは、出隅部Ｎ１の一方と他方のコーナー位置に向かい合わせて取り付け、それらを個別に手動操作したり、モータ駆動する場合について説明したが、以下の第７〜１１実施例には、出隅部Ｎ１の一方と他方に向かい合わせた、第１グループや第３グループに属するシングル装置Ｓ１ｃ，Ｓ１ｄ、Ｓ３ｃ，Ｓ３ａ，Ｓ３ｄの２体を、連動構造とする場合の実施形態に関する。
【第７実施例】
【００６９】
先ず、図２２（Ａ）、（Ｂ）〜図２５（Ａ）〜（Ｃ）に示す第７実施例の可動オーニング装置ＷＳ１ｃを説明する。
このオーニング装置ＷＳ１ｃは、出隅部Ｎ１の一方と他方にシングル装置Ｓ１ｃの２体を向かい合わせた場合であって、Ｖ字アームＶ１，Ｖ２の前端部に取り付けたローラ支持枠Ｆ１の先端部を直角に突き合わせ、その突き合せ端部を図２３（Ａ）に示す手動連動構造や、図２４（Ａ）に示す歯車連動構造を組み込んだコーナーキャップ３４１により連結固定している。これにより、一方と他方のローラ支持枠Ｆ１の２体が、Ｌ字状の平面形態に連結一体化している。
Ｖ字アームＶ１，Ｖ２は、それぞれ後方へ二つ折れ自在に連結した後部リンク２５１と前部リンク２５２とからなり、当該Ｖ字アームＶ１，Ｖ２の二つ折れ連結部に連接ロッド２５３を差し渡してリンク構成している。
その内、一方のＶ字アームＶ１の基端部を、出隅部Ｎ１のコーナー付近で、横行案内枠Ｋ１の先端下部位置に取り付け、その前端部をローラ支持枠Ｆ１の先端下部に取り付け、他方のＶ字アームＶ２の基端部を、横行案内枠Ｋ１の中間付近の下部位置に取り付け、その前端部をローラ支持枠Ｆ１の中間下部付近に取り付けている。
また、Ｖ字アームＶ１，Ｖ２の基端部、即ち、後部リンク２５１の基端部には、それを拡開方向へ押圧付勢するばね（図示せず）が組み込まれ、また、後部リンク２５１と前部リンク２５２の二つ折れ連結部には、当該両リンク２５１，２５２を拡開方向へ押圧付勢するばね（図示せず）が組み込まれる。
【連動構造】
【００７０】
ここで、図２３（Ａ）〜（Ｃ）に示す手動装置を説明するに、これは、一方と他方のローラ支持枠Ｆ１に組み込んだ巻取りローラＪ１を手動操作する場合である。
３４３はコーナーキャップ３４１の内部に形成した軸受部であって、上方部にウォーム１６２を嵌め込み、下端部にフック１６４を形成した回転軸１６３を鉛直支持する。
３４２はキャップ内部に水平に形成した軸受部であって、その一方と他方に平面直角に穿設した軸孔には、前記ウォーム１６２と噛み合うウォーム歯車１６１を嵌め込んだ巻取りローラＪ１の２体を軸受支持している。
これにより、一方と他方の巻取りローラＪ１が手動操作により正逆回転自在に歯車連動する。
また、図２４（Ａ）〜（Ｃ）に示す歯車連動装置の場合には、巻取りローラＪ２の先端部に嵌め込んだ斜歯歯車１６５（傘歯車でも可）を直接噛み合わせることで、一方と他方の巻取りローラＪ２が歯車連動する。特に、巻取りローラＪ２が電動タイプの場合には、両者の電動モータＭ１を同期駆動させることで歯車連動する。
【００７１】
そこで、図２２（Ａ）、（Ｂ）や図２５（Ａ）に示すように、コーナー空間部に張り出した出隅キャンバスＧ１を巻き上げるに、巻取りローラＪ１を手動操作するか、一方と他方の巻取りローラＪ２の電動モータＭ１を同期駆動することで、巻取りローラＪ１，Ｊ２を連動して巻き上げ回転すると、出隅部Ｎ１の一方と他方のＶ字アームＶ１，Ｖ２が、その拡開付勢力に抗して斜め後方へ向かって蛙跳び風に屈伸動作しながら後方回転し、壁際部分に折り畳まれる。
それと同時に、連結一体化したローラ支持枠Ｆ１を、出隅部Ｎ１を２等分する中心線と平行な後方へ向けて直線的に後退移動しながら、それぞれの正面壁Ｗ１と側面壁Ｗ２に向かって平行移動することにより、出隅部Ｎ１の一方と他方に引き寄せられて壁面収納される。
それとは逆に、巻取りローラＪ１を連動して巻き戻し回転すると、それぞれのＶ字アームＶ１，Ｖ２が、その弾性付勢力により前方へ伸展作動し、連結一体化したローラ支持枠Ｆ１が斜め前方ヘ向かって平行移動しながら直線的に押し出され、それにより出隅キャンバスＧ１がコーナー空間部に張り出される。
前記の場合、先後一対のＶ字アームＶ１，Ｖ２を連接ロッド２５３で連結しているが、その為、Ｖ字アームＶ１，Ｖ２が装置後方へ二つ折れして蛙跳び風に屈伸作動する際に、当該アームＶ１，Ｖ２が不測の方向へぶれることなく、円滑でバランスの良い屈伸作動を可能とする。
【第８実施例】
【００７２】
次に、図２６（Ａ）と図２７（Ａ）〜（Ｃ）に示す第８実施例の可動オーニング装置ＷＳ１ｄを説明する。
このオーニング装置ＷＳ１ｄは、第１実施例のＶ字アームＶ１，Ｖ２とその連接ロッド２５３とからなるリンク機構を、アーム長さを可変自在とする伸縮自在な一対の平行な折畳みアームＴ１，Ｔ２（以下、伸縮アームという）に置換した場合であって、出隅部Ｎ１の一方と他方にシングル装置Ｓ１ｄの２体を向かい合わせ、そのローラ支持枠Ｆ１の突き合わせ端部には、図２３（Ａ）や図２４（Ａ）に示す歯車連動装置を組み込んでいる。
伸縮アームＴ１，Ｔ２は、図２６（Ｂ）に示すように、後部側のアウターパイプ３５１に前部側のインナーパイプ３５２を嵌挿支持し、内部に組み込んだコイルばね３５３やゴム弾性体等により伸縮自在に構成している。伸縮アームＴ１，Ｔ２の基端部には、当該伸縮アームＴ１，Ｔ２を拡開方向へ押圧付勢するばね（図示せず）を組み込んでいる。
【００７３】
そこで、図２６（Ａ）と図２７（Ａ）に示すように、出隅部Ｎ１のコーナー空間部を含む建物外回りに張り出した出隅キャンバスＧ１を、それぞれの手動又は電動の巻取りローラＪ１，Ｊ２を連動させて巻き取る際には、それぞれの伸縮アームＴ１，Ｔ２が、その弾性付勢力に抗して後方へ向かって回転し、ローラ支持枠Ｆ１を後退移動しながら、それぞれの正面壁Ｗ１と側面壁Ｗ２に向かって平行移動する。
ところが、一方と他方のローラ支持枠Ｆ１は、その先端部をコーナーキャップ３４１により連結固定している為、一方と他方の伸縮アームＴ１，Ｔ２は、後方へ円弧状に回転しながら、アウターパイプ３５１とインナーパイプ３５２が相対的に伸縮しながら後方回転し、やがて図２７（Ｃ）に示すように壁際部分に倒伏状態に畳み込まれる。それと同時に、ローラ支持枠Ｆ１の２体を出隅部Ｎ１のコーナー部分へ引き寄せて壁面格納する。
それとは逆に、図２７（Ｃ）に示すように、一方と他方の巻取りローラＪ１、Ｊ２を連動して巻き戻し回転すると、それぞれの伸縮アームＴ１，Ｔ２が、その弾性付勢力により斜め前方の拡開方向へ伸縮しながら回転し、連結したローラ支持枠Ｆ１を斜め前方へ平行移動しながら直線的に押し出すことにより、出隅キャンバスＧ１がコーナー空間部に展開される。
【第９実施例】
【００７４】
次に、図２８と図２９（Ａ）〜（Ｃ）に示す第９実施例の可動オーニング装置ＷＳ３ｃを説明する。
これは、第３グループに属するシングル装置Ｓ３ｃの２体を、出隅部Ｎ１の一方と他方に組み込んだ場合であって、ローラ支持枠Ｆ１ａの横行案内レールＲ１を、第８実施例の伸縮アームＴ１，Ｔ２の場合と異なり、長さ一定のＩ字アームＩ１，Ｉ２の前端部に取り付けている。Ｉ字アームＩ１，Ｉ２の基端部には、拡開方向へ押圧付勢するばね（図示せず）を組み込んでいる。
そこで、図２８と図２９（Ａ）に示すように、一方と他方に展開した出隅キャンバスＧ１を、それぞれの巻取りローラＪ１，Ｊ２を連動させて巻き取る際には、それぞれのＩ字アームＩ１，Ｉ２が、その拡開付勢力に抗して後方へ向かって回転し、同時に一方と他方のローラ支持枠Ｆ１ａを後退移動しながら、それぞれの正面壁Ｗ１と側面壁Ｗ２に向かって平行移動させる。
ところが、一方と他方のローラ支持枠Ｆ１ａは、その先端部を連結固定している為、一方と他方のＩ字アームＩ１，Ｉ２は、後方へ回転しながら、図２９（Ｂ）に示すように、ローラ支持枠Ｆ１ａに対して横行案内レールＲ１を一旦後方へスライドした上で、前進スライドすることで後方回転し、やがて壁際部分に倒伏状態に畳み込まれ、それと同時に、一体化したローラ支持枠Ｆ１ａをコーナー部分へ引き寄せて壁面格納する。
それとは逆に、一方と他方の巻取りローラＪ１，Ｊ２を連動して巻き戻し回転すると、それぞれのＩ字アームＩ１，Ｉ２が、その弾性付勢力により斜め前方の拡開方向へ回転し、一体化したローラ支持枠Ｆ１ａを斜め前方のコーナー空間部に向けて平行移動しながら直線的に押し出すことにより、コーナー空間部を含む出隅部Ｎ１の一方と他方の外回りに出隅キャンバスＧ１が張り出される。
【第１０実施例】
【００７５】
次に、図３０と図３１（Ａ）〜（Ｃ）に示す第１０実施例の可動オーニング装置ＷＳ３ａを説明する。
これは、図１７に示す第３グループのシングル装置Ｓ３ａの２体を、出隅部Ｎ１の一方と他方に組み込み、それぞれのローラ支持枠Ｆ１ａの先端部を直角に突き合わせて、そのコーナー部分を図２３や図２４に示すようにコーナーキャップ３４１で連結固定している。
そこで、図３０と図３１（Ａ）に示すように、一方と他方に展開した出隅キャンバスＧ１を、それぞれの巻取りローラＪ１，Ｊ２を連動させて巻き取る際には、それぞれのＶ字アームＶ１，Ｖ２が、その弾性付勢力に抗して二つに折り畳まれ、同時に、一方と他方のローラ支持枠Ｆ１ａを横行案内レールＲ１に沿って後方へスライド案内しながら、それぞれの正面壁Ｗ１と側面壁Ｗ２に向かって平行移動することにより、連結したローラ支持枠Ｆ１ａを出隅部Ｎ１のコーナー部位へ引き寄せて壁面格納する。
それとは逆に、一方と他方の巻取りローラＪ１，Ｊ２を連動して巻き戻し回転すると、それぞれのＶ字アームＶ１，Ｖ２が、その弾性付勢力により前方へ押し広げられ、連結一体化したローラ支持枠Ｆ１ａを前方に向けて平行移動しながら直線的に押し出し、出隅部Ｎ１のコーナー空間部を含む一方と他方の外回りに出隅キャンバスＧ１が張り出される。
【第１１実施例】
【００７６】
次に、図３２（Ａ）〜（Ｃ）と図３３（Ａ）、（Ｂ）に示す第１１実施例の可動オーニング装置ＷＳ３ｄを説明する。
これは、前記した第１０実施例の一方のＶ字アームＶ１に、ローラ支持枠Ｆ１ａに対する確実な横行スライドを可能とするための折り畳みリンク機構を付設している。
図３２（Ａ）〜（Ｃ）や、その主要部の移動軌跡を示す図３３（Ａ）、（Ｂ）において、２５４はＶ字アームＶ１における前部リンク２５２の前端部から外側に向けてほぼ直角に折り曲げて突出形成した折曲リンクであって、その折曲部付近をフロントバーＦ１ａの先端部に取り付けたブラケット２６３にピン枢支している。
７８は折曲リンク２５４の先端部に連結した連接ロッドであって、その先端部を、一方と他方のローラ支持枠Ｆ１ａの入隅部に固定したコーナー板７７に連結している。そして、前記と同一の構成が、他方のローラ支持枠Ｆ１ａにも称的に組み込まれる。
【００７７】
そこで、出隅部Ｎ１の一方と他方に展開した出隅キャンバスＧ１を巻き上げると、複合装置ＷＳ３ｄは、図３２（Ａ）〜（Ｃ）に示すように形態変化しながら、出隅部Ｎ１の一方と他方の壁際部分に引き込まれてコンパクトに収納される。
その際の主要部の作動状況は、図３３（Ｂ）に示すように、Ｖ字アームＶ１の後部リンク２５１と前部リンク２５２が、その弾性付勢力に抗して二つ折れされ、それに伴って前部リンク２５２と一体の折曲リンク２５４が、ブラケット２６２を支点として後方へ回転しながら、当該折曲リンク２５４と連接ロッド７８を徐々に後方へ向けて二つ折れする。
それにより、出隅部Ｎ１の正面側Ｗ１のコーナー端部に、後部リンク２５１と前部リンク２５２が折り畳み収納され、折曲リンク２５４と連接ロッド７８は、出隅部Ｎ１の側面壁Ｗ２側のコーナー端部に入り込み逆折り状態で折り畳み収納される。
このようなリンク機構により、ローラ支持枠Ｆ１ａは、壁際部分へ向けて直線的に平行移動する一方と他方のフロントバーＦ２ａと機構的に連動しながら、コーナー空間部を等分する斜め方向へ直線的に移動する。
尚、前記の場合、前部リンク２５２と折曲リンク２５４の折れ曲げ角度θを、ほぼ直角としたが、出隅部Ｎ１の角度が鋭角や鈍角である場合には、それとほぼ同一の角度に形成される。
【００７８】
尚、前記の場合は、Ｖ字アームＶ１の前部リンク２５２と一体の折曲リンク２５４と連接ロッド７８とからなる折り畳みリンク機構により、一方と他方のローラ支持枠Ｆ２が横行案内レールＲ１に沿って進退移動するようにしたが、それを第６実施例のシングル装置Ｓ３ｂと同様な、主リンク２９１｛図３３（Ｂ）に、主リンクの前半部を想像線で付記｝と副リンク２９２を逆ｙ字状にリンク構成したＹ字アームＹ１と置換し、横行案内レールＲ１の後端部を二つ折れ自在なＶ字アームＶ２により支持することもできる。
【第３．複合タイプの可動オーニング装置】
【００７９】
本発明の複合装置ＳＱII１〜３は、図３４〜図３８に示すように、出隅キャンバスＧ１，Ｇ２のフロント巻取り構造を備えたオーニング装置Ｓ４ａ，Ｓ４ｂ（以下、出隅用オーニング装置という）と、長短いずれかの矩形キャンバスＰ１，Ｐ２のリア巻取り構造を備えたオーニング装置Ｑ１，Ｑ２（以下、矩形オーニング装置という）を有機的に組み合わせ、結合一体化している。
これは、自己の先行出願２に開示する第１０実施例の複合装置ＳＱII１の出隅オーニング装置を、フロント巻取り構造の発明に改変した場合に相当する。
【第１実施例】
【００８０】
第１実施例の複合装置ＳＱII１を、図３４（Ａ）、（Ｂ）と図３５（Ａ）〜（Ｃ）と図３６（Ａ）〜（Ｄ）に基づいて説明する。
先ず、出隅部Ｎ１のコーナー寄りの壁際部分に、前記したシングル装置Ｓ１ａ，Ｓ１ｂ、Ｓ３ａ，Ｓ３ｂ等の場合とは、上下逆に横行案内枠Ｋ１ａを取り付け、その枠内部には、小車輪２３１を備えたスライダー２２がスライド自在に組み込まれ、当該スライダー２２のキャンバス嵌合溝２２３に出隅キャンバスＧ１の頂部１を嵌め込んでいる。
フロント側には、出隅キャンバスＧ１を巻き取ったり、巻き戻す巻取りローラＪ１〜Ｊ３とそのローラ支持枠Ｆ２を形成している。
その他の出隅用オーニング装置Ｓ４ａの詳細は、前記したシングル装置Ｓ１ａ，Ｓ１ｂ、Ｓ３ａ，Ｓ３ｂ等の場合と同様であるので、同一の図面符号を付してその説明を省略する。
【００８１】
Ｋ２は矩形キャンバスＰ１を巻き取り収納するケーシングであって、その内部には、矩形キャンバスＰ１の巻取りローラ３０を軸受支持している。
ケーシングＫ２は、横行案内枠Ｋ１ａの後半上部位置から後方部へ向かう直線区間の外壁Ｗ１に、当該ケーシングＫ２の前半部をほぼ上下に重ね合わせて取り付けるか、適宜の支持ブラケット（図示せず）を介して間接的に固定し、必要に応じて、その前傾角度を可変調整自在に取り付ける。
巻取りローラ３０の軸線方向にはキャンバス嵌合溝３０１が形成され、当該嵌合溝３０１にキャンバス頂部を臨ませ、ワイヤ３０２により抜け止め固定している。
１３２はケーシングＫ２の前面下方部に開口した矩形キャンバスＰ１の引出口である。
【００８２】
Ｒ２は矩形キャンバスＰ１のフロントバーであって、出隅キャンバスＧ１のローラ支持枠Ｆ２を横行スライド自在に嵌め込む関係上、当該ローラ支持枠Ｆ２の外形より僅かに大きい外観形態に形成され、前面を弧状に成形した前板部４２１と、その上庇部４２２と、水平な底板部４２３と、後傾状態に立ち上げた後板部４２４とからなる。
上庇部４２２の後端部には、キャンバス嵌合溝４２０が形成され、その後半位置に矩形キャンバスＰ１の裾部を臨ませ、ワイヤ３０３によって抜け止め固定している。
これにより、アウター側のフロントバーＲ２が、インナー側のローラ支持枠Ｆ２に対する横行案内レールとしての機能を併有し、また、当該機能を安定的に発揮させる為、当該フロントバーＲ２を、装置後端部から装置先端部の出隅部Ｎ１のコーナー端部付近まで延伸している。
フロントバーＲ２の先後両端部には、主リンク２９１と副リンク２９２を逆ｙ字状にリンク構成したＹ字アームＹ１と、後部リンク２５１と前部リンク２５２を二つ折れ自在に形成したＶ字アームＶ２を取り付けている。
【００８３】
３６はローラ支持枠Ｆ２の中間付近から後方へ張り出したブラケットであって、その後端部に形成した係合孔３６１に、主リンク２９１の先端部に突出した軸ピン２６３を遊嵌係合している。また、副リンク２９２の前端部にピン枢支したブラケット２６２は、フロントバーＲ２の先端付近の底板部４２３と後板部４２４に押し当てられボルト・ナットで固定している。
尚、展開した矩形キャンバスＰ１の先端部と後端部は、図３１（Ａ）、（Ｂ）に示すようにキャンバス鉛直部７，８としている。
また、巻取りローラ３０の先後いずれか一方の軸端部には、図５に示す巻取りローラＪ１と同様な手動装置が組み込まれたり、図９に示す巻取りローラＪ２と同様な電動装置が組み込まれ、場合によっては、図１０に示す巻取りローラＪ３と同様なコイルばねが組み込まれる。
【出隅キャンバスと矩形キャンバスの巻き取り収納過程】
【００８４】
そこで、図３４（Ａ）、（Ｂ）〜図３６（Ａ）に示すように、コーナー空間部へ張り出した出隅キャンバスＧ１と、前方へ展開した矩形キャンバスＰ１を巻き取り収納するに、出隅用オーニング装置Ｓ４ａの巻取りローラＪ２に組み込んだ電動モータＭ１と、矩形オーニング装置Ｑ１の巻取りローラ３０に組み込んだ電動モータ（図示せず）を同期させて巻き上げ駆動する。
すると、矩形キャンバスＰ１は壁側の巻取りローラ３０に、出隅キャンバスＧ１はフロント側の巻取りローラＪ２にそれぞれ巻き上げられ、それと同時に、装置先端部のＹ字アームＹ１と装置後端部のＶ字アームＶ２が、その二つ折れ連結部に組み込んだばね等による拡開付勢力に抗して二つ折れされることで、フロントバーＲ２とローラ支持枠Ｆ２を壁際部分に向けて平行移動する。
【００８５】
その際、装置先端部のＹ字アームＹ１の内、副リンク２９２と主リンク２９１の後半部が二つ折れされるに止まらず、主リンク２９１が後方へ向けて揺動回転し、その前端部の軸ピン２６３によりローラ支持枠Ｆ２のブラケット３６を後方へ押し出し作動する。
すると、ローラ支持枠Ｆ２は、壁側へ平行移動するフロントバーＲ２に沿って後方へ横行スライドすることで、相対的には斜め後方へ向かって平行移動することで、巻取りローラＪ２に出隅キャンバスＧ１を巻き上げると同時に、キャンバス頂部１のスライダー２２を横行案内枠Ｋ１ａに沿って後方へスライドすることで引き下げる。
それにより、矩形キャンバスＰ１と出隅キャンバスＧ１は、図３６（Ａ）〜（Ｄ）に示すような作動過程を経て壁際部分にコンパクトに収納される。
この場合、出隅キャンバスＧ１は、キャンバス裾部２の表面を外側にし、裏面を内側にし上側から巻取りローラＪ２に巻き付けられ、それとは逆に、矩形キャンバスＰ１は、そのキャンバス頂部の表面を内側にし、裏面を外側にして下側から巻取りローラ３０に巻き付けられ、両キャンバスＧ１，Ｐ１相互の間隙が大きくならないように配慮している。
【出隅キャンバスと矩形キャンバスの巻き戻し展開過程】
【００８６】
次に、それぞれの巻取りローラＪ２、３０に巻き取られた出隅キャンバスＧ１と矩形キャンバスＰ１を、コーナー空間部を含む建物前方へ向けて展開する場合には、巻取りローラＪ２の電動モータＭ１と、巻取りローラ３０の電動モータを、前記とは逆方向へ回転駆動する。
すると、巻取りローラＪ２に巻き上げられた出隅キャンバスＧ１と、巻取りローラ３０に巻き上げられた矩形キャンバスＰ１がそれぞれ巻き戻され、また、壁際部分に折り畳まれたＹ字アームＹ１とＶ字アームＶ２の弾性付勢力が解放され、その押圧付勢力で両アームＹ１，Ｖ２が拡開方向へ付勢回転し、フロントバーＲ２を前方へ平行移動しながら直線的に押し出す。
【００８７】
その際、装置先端部のＹ字アームＹ１における主リンク２９１は、前記とは逆に前方へ向けて回転することで、その前端部の軸ピン２６３によりローラ支持枠Ｆ２のブラケット３６を左側先端方へ向けて押し出し作動する。
すると、ローラ支持枠Ｆ２は、前方へ向かって平行移動するフロントバーＲ２に沿って横行スライドすることで、相対的には斜め前方へ向かって平行移動することになり、出隅キャンバスＧ１を巻き戻しながら展開すると同時に、キャンバス頂部１のスライダー２２を横行案内枠Ｋ１ａに沿って前進スライドすることで、その先端方へ引き出す。
それにより、矩形キャンバスＰ１と出隅キャンバスＧ１は、図３６（Ｄ）〜（Ａ）に示すような作動過程を経て展開され、その内、出隅キャンバスＧ１がコーナー空間部を含む建物外回りに張り出し、矩形キャンバスＰ１は正面壁Ｗ１の前方へ展開され、出隅キャンバスＧ１の後端部と矩形キャンバスＰ１の先端部が適度に重なり合った状態に展開される。
【００８８】
尚、前記の場合には、出隅用オーニング装置Ｓ４ａと矩形オーニング装置Ｑ１を、それぞれの電動モータを同期させて連動する場合について説明したが、それらの巻取りローラＪ２と巻取りローラ３０のいずれか一方を、図１０に示すようにコイルばね４７を内蔵した従動用ローラとし、他方を電動又は手動の駆動用ローラとして組み合わせることもできる。
【第２実施例】
【００８９】
図３７（Ａ）、（Ｂ）に示す第２実施例の複合装置ＳＱII２の場合には、装置後端部から装置先端部まで延伸した長尺の巻取りローラ３０ａとそのケーシングＫ２が壁側に構成され、当該巻取りローラ３０ａとほぼ同じ長さの矩形キャンバスＰ２の頂部を巻取りローラ３０ａに、そのキャンバス裾部をフロント側のフロントバーＦ２にそれぞれ取り付けている。
従って、矩形オーニング装置Ｑ２は、巻取りローラ３０ａと矩形キャンバスＰ２とそのフロントバーＲ２をすべて長尺物として組み合わせた場合で、その他の構成と作動過程は、第１実施例の場合と同様であるので、同一の符号を付してその説明を省略する。
このような矩形オーニング装置Ｑ２とした場合は、矩形キャンバスＰ２をバランス良く巻き上げたり、巻き戻すことができる。
【第３実施例】
【００９０】
図３８（Ａ）、（Ｂ）に示す第３実施例の複合装置ＳＱII３は、第２実施例の複合装置ＳＱII２における直角台形状の出隅キャンバスＧ１を、ほぼ三角形状の展開形態を呈する出隅キャンバスＧ２（以下、三角キャンバスともいう）に置換した場合であって、三角キャンバスＧ２の出隅用オーニング装置Ｓ４ｂとしている。
三角キャンバスＧ２の一方と他方の斜部３ａ，３ｂには袋通孔５３１，５３２が形成され、その通孔内部に連結ワイヤ（図示せず）が挿通され、そのワイヤ先端部の係合片を、図４に示す場合と同様に、三角キャンバスＧ２の巻取りローラＪ１〜Ｊ３の先後両端部に取り付ける。
出隅部Ｎ１のコーナー端部寄りの位置には、比較的長さの短い横行案内枠Ｋ１ａを取り付け、当該案内枠Ｋ１ａには、長さの短いスライダー２２ａを転動自在に組み込んでいる。
また、三角キャンバスＧ２の山頂部から引き出した２本のワイヤ末端部も、図４に示す場合と同様に、当該スライダー２２ａのワイヤ取付孔２２４に挿通した上で、ビス１０３により抜け止め固定している。
この場合、キャンバス斜部３ａ，３ｂに挿通した連結ワイヤにより、展開した三角キャンバスＧ２が緊張支持されるので、キャンバス巻き取り時や横行スライド時における面内変形を防止すると共に、スライダー２２ａの円滑で、確実な横行移動性を確保する。
【００９１】
尚、三角キャンバスＧ２を巻取りローラＪ１〜Ｊ３に巻き上げる際には、その巻き取り幅の長いキャンバス裾部が内面側になり、徐々に巻き取り幅が短くなり、最後に幅の狭い山頂部が巻き上げられる。
その為、自己の先行出願４の図４１と図４２、並びに、先行出願５の図１６と図１７に示すような、巻取りローラ径の嵩上げ等のことを考慮する必要がない。
その他の構成と作動過程は、第１・第２実施例の場合と同様であるので、同一の符号を付してその説明を省略する。
【第４実施例】
【００９２】
図３９に示す複合装置ＷＳＱIV１は、出隅用オーニング装置Ｓ５ａと矩形オーニング装置Ｑ１を結合一体化した複合装置ＳＱII４の２組を、出隅部Ｎ１の一方と他方に向かい合わせて連結固定することで連動化している。
その為、フロント側のローラ支持枠Ｆ２の２体を、出隅部Ｎ１の角度とほぼ同一の直角に突き合わせ、その突き合わせ端部を、図２３や図２４に示す場合と同様にコーナーキャップ３４１で連結するか、或いは、図３３に示すコーナー板７７により連結固定している。
また、フロントバーＦ２は、その先後両端付近に取り付けた後部リンク２５１と前部リンク２５１とからなるＶ字アームＶ１，Ｖ２により平行移動自在に支持している。
前記した第１〜第３実施例の複合装置ＳＱII１〜３の場合には、フロントバーＲ２の先端付近をＹ字アームＹ１で支持することにより、ローラ支持枠Ｆ２を横行スライドさせる必要があるが、第４実施例の場合には、一方と他方のローラ支持枠Ｆ２を連結一体化している。その為、フロントバーＲ２の先後両端部をＶ字アームＶ１，Ｖ２で支持することで、十分なものとしている。
その他の構成は、第１実施例の場合と同様であるので、その説明を省略する。
【第５実施例】
【００９３】
図４０に示す複合装置ＷＳＱIV２は、出隅用オーニング装置Ｓ５ｂと矩形オーニング装置Ｑ２を結合一体化した複合装置ＳＱII５の２組を、出隅部Ｎ１の一方と他方に向かい合わせて連結固定することで連動化している。
この場合は、第４実施例の場合と異なり、出隅用オーニング装置Ｓ５ｂにおける出隅キャンバスＧ２を、前記した第３実施例と同様な三角キャンバスＧ２に置換し、それに伴って、矩形オーニング装置Ｑ２の巻取りローラ３０ａと矩形キャンバスＰ２を長尺構造としている。その他の構成は、第４実施例と同様である。
【産業上の利用可能性】
【００９４】
本発明は、前記のように技術的な興趣や有用性に富む新規で、斬新な出隅キャンバスＧ１，Ｇ２のフロント巻取り構造を備えたシングルタイプの可動オーニング装置と、それとリア巻取り構造の矩形オーニング装置を結合した複合オーニング装置を提供したので、各種建築物の出隅部のコーナー空間部を、或いは、当該空間部を含む建物外回りの体裁性を飛躍的に高め、ひいては、当業界の進歩発展に大いに貢献する。
【図面の簡単な説明】
【００９５】
図１〜図２１は、フロント巻取り構造を備えたシングルタイプの可動オーニング装置に関する３態様の実施形態と、その関連構成を示す図である。
図中、キャンバスは、通常、不透質であり、隠れて見えない裏側の構成を見せるため、必要に応じてキャンバスを透視状態で示している。同様に、ケーシング内部に組み込んだスライダーや巻取りローラについても、必要に応じてケーシングを透視して図示している。
尚、多くの図面では、オーニング装置をＬ字状、帯板状等の枠体に、ほぼ水平状態に取り付けているように立体的に図示しているが、それは図面を描出する上での便宜に基づくことである。通常、展開した出隅キャンバスや矩形キャンバス等が、適宜の前傾状態となるように固定的に、或いは、角度可変自在に取り付けられる。
【図１】  図（Ａ）、（Ｂ）は、出隅部の一方と他方に向かい合せた第１グループのシングル装置Ｓ１ａを示す斜視図であって、その内、図（Ｂ）には、折畳みアームをＩ字アームとするシングル装置Ｓ１ａの透視状態を示している。
【図２】  図（Ａ）、（Ｂ）は、正面壁のコーナー位置に取り付けたシングル装置Ｓ１ａの透視状態を示す斜視図であって、その内、図（Ａ）は見上げた状態を、図（Ｂ）は見下ろした状態をそれぞれ示している。
【図３】  図（Ａ）、（Ｂ）は、シングル装置Ｓ１ａの要部を示す縦断側面図であって、その内、図（Ｂ）には、巻取りローラの手動装置を示している。
【図４】  シングル装置Ｓ１ａの横断平面図である。
【図５】  図（Ａ）〜（Ｅ）は、手動装置を組み込んだフロント巻取り構造を示す透視図と分解斜視図であって、その内、図（Ｂ）には、ローラ支持枠、巻取りローラ、手動装置等の構成部材を示している。図（Ｃ）には、ローラ端部を一部拡大し、連結ワイヤの基端部を固定するビスを示している。図（Ｄ）、（Ｅ）には、ローラ支持枠の先端部を前面と背面から示している。
【図６】  図（Ａ）〜（Ｄ）は、キャンバス頂部の横行案内構造を示す透視図と分解斜視図であって、その内、図（Ｂ）には、横行案内枠、スライダー、小車輪等の構成部材を示している。図（Ｃ）には、出隅キャンバスを緊張支持する連結ワイヤの末端を合流させて取り付ける状態を示し、図（Ｄ）には、横行案内枠の先端部を示している。
【図７】  図（Ａ）〜（Ｃ）は、出隅キャンバスとそのワイヤ類を示す分解斜視図であって、その内、図（Ｃ）の右側下部位置には、連結ワイヤの基端部を部分拡大している。
【図８】  図（Ａ）〜（Ｃ）は、出隅キャンバスの平面図と、ワイヤ類を挿通した状態を示す拡大断面図である。その内、図（Ｂ）は、キャンバス頂部と裾部の断面を、図（Ｃ）は、図（Ａ）のＸ−Ｘ線に沿う断面をそれぞれ示している。
【図９】  図（Ａ）〜（Ｄ）は、電動モータを組み込んだフロント巻取り構造を示す透視図と、その分解斜視図であって、その内、図（Ｂ）には、ローラ支持枠、巻取りローラ、電動装置等の構成部材を示している。図（Ｃ）、（Ｄ）には、ローラ支持枠の先端部を前面と背面から示している。
【図１０】  図（Ａ）〜（Ｄ）は、コイルばねを組み込んだフロント巻取り構造を示す透視図と、その分解斜視図である。
【図１１】  図（Ａ）〜（Ｄ）は、コーナー空間部へ張り出した出隅キャンバスと、その後退巻き取り過程を示す斜視図であって、その逆順序が出隅キャンバスの巻き戻し展開過程を示している。
【図１２】  図（Ａ）〜（Ｄ）は、図１１（Ａ）〜（Ｄ）と略同じ状態の過程を示す平面図である。
【図１３】  図（Ａ）〜（Ｅ）は、二段階動作する折畳みアームを備えたシングル装置Ｓ１ｂの作動過程を示す平面図であって、コーナー空間部へ張り出した出隅キャンバスと、その後退巻き取り過程を示している。
【図１４】  図（Ａ）〜（Ｅ）は、第２グループのシングル装置Ｓ２ａの作動過程を示す平面図であって、コーナー空間部へ張り出した出隅キャンバスの巻取りローラと、そのローラ支持枠を装置後方へ横行操作した上で、展開した出隅キャンバスを巻き上げ収納する作動過程を示している。
【図１５】  図（Ａ）〜（Ｃ）は、ローラ支持枠と折畳みアームの移動軌跡を示す平面図であって、その内、図（Ｂ）には、装置先方に張り出した出隅キャンバスの装置後方への後退過程と、ローラ支持枠の後退に伴って姿勢変化する折畳みアームを段階的に示し、図（Ｃ）には、キャンバス巻き取り時の両者の姿勢変化を段階的に示している。また、図（Ａ）、（Ｂ）の上下位置には、折畳みアームのブラケットとリンク端部のストッパーとの関係を部分拡大して示している。
【図１６】  図（Ａ）〜（Ｅ）は、シングル装置Ｓ２ｂの作動過程を示す斜視図である。
【図１７】  図（Ａ）〜（Ｄ）は、第３グループのシングル装置Ｓ３ａの作動過程を示す平面図であって、コーナー空間部へ張り出した出隅キャンバスと、その後退スライド過程と巻き取り過程を示し、その逆順序が出隅キャンバスの巻き戻し展開過程と、コーナー空間部への前進スライド過程を示している。
【図１８】  図（Ａ）、（Ｂ）は、シングル装置Ｓ３ａの要部縦断側面図と、横行操作用掛止部の正面図である。
【図１９】  図（Ａ）〜（Ｄ）は、シングル装置Ｓ３ｂの作動過程を示す平面図であって、コーナー空間部へ張り出した出隅キャンバスを巻き上げながら、ローラ支持枠を斜め後方の壁際部分へ平行移動する後退巻き取り過程を示し、その逆順序が、出隅キャンバスを巻き戻しながら、ローラ支持枠を斜め前方のコーナー空間部への張り出す過程を示している。
【図２０】  図（Ａ）〜（Ｃ）は、シングル装置Ｓ３ｂの要部縦断側面図であって、その内、図（Ｂ）には、Ｙ字アームの副リンクの前端部に取り付けたスライド案内レールを示し、図（Ｃ）には、主リンクの前端部に取り付けたローラ支持枠と巻取りローラを示している。
【図２１】  図（Ａ）〜（Ｃ）は、出隅部の一方と他方にシングル装置Ｓ１ａの２体を向かい合わせ、それぞれの後半底部位置に従来構造のオーニング装置の先端位置を上下に重ね合わせた状態を示す斜視図であって、一方の出隅キャンバスと矩形キャンバスを展開し、他方の両キャンバスを巻き取り収納した状態を示している。
【図２２】  図（Ａ）、（Ｂ）は、出隅部の一方と他方に向かい合わせたシングル装置Ｓ１ｃの２体を、連動化したオーニング装置ＷＳ１ｃを示す斜視図とその透視図である。
【図２３】  図（Ａ）〜（Ｃ）は、コーナーキャップに組み込んだ手動連動構造を示す透視図と斜視図であって、その内、図（Ａ）には手動連動構造の透視状態を、図（Ｂ）にはコーナー部分の斜視図である。図（Ｃ）にはコーナーキャップを背面視し、ローラ支持枠との連結部付近を切断した状態を示している。
【図２４】  図（Ａ）〜（Ｃ）は、コーナーキャップに組み込んだ歯車連動構造を示す透視図と斜視図である。
【図２５】  図（Ａ）〜（Ｃ）は、連動構造のオーニング装置ＷＳ１ｃの作動過程を示す平面図であって、その内、図（Ａ）には出隅キャンバスの最終展開時を、図（Ｂ）には中間展開時を、図（Ｃ）には巻取り収納時をそれぞれ示している。
【図２６】  図（Ａ）、（Ｂ）は、折畳みアームを伸縮自在とするシングル装置Ｓ１ｄの２体を、連動化したオーニング装置ＷＳ１ｄの透視図と、その伸縮アームの分解図である。
【図２７】  図（Ａ）〜（Ｃ）は、オーニング装置ＷＳ１ｄの作動過程を示す平面図である。
【図２８】  シングル装置Ｓ３ｃの２体を、連動化したオーニング装置ＷＳ３ｃの透視図である。
【図２９】  図（Ａ）〜（Ｃ）は、オーニング装置ＷＳ３ｃの作動過程を示す平面図である。
【図３０】  シングル装置Ｓ３ａの２体を、連動化したオーニング装置ＷＳ３ａの透視図である。
【図３１】  図（Ａ）〜（Ｃ）は、オーニング装置ＷＳ３ａの作動過程を示す平面図である。
【図３２】  図（Ａ）〜（Ｃ）は、オーニング装置ＷＳ３ｄの作動過程を示す平面図である。
【図３３】  図（Ａ）、（Ｂ）は、連結一体化したローラ支持枠のリンク機構の作動過程を示す要部平面図と、その移動軌跡を示す説明図である。
【００９６】
図３４〜図３８は、出隅用オーニング装置と矩形オーニング装置を組み合わせた複合オーニング装置の実施態様を示している。
【図３４】  図（Ａ）、（Ｂ）は、第１実施例の複合装置ＳＱII１を示す斜視図であっ
て、その内、図（Ａ）は見上げた状態を、図（Ｂ）は見下ろした状態をそれぞれ示している。
【図３５】  図（Ａ）〜（Ｃ）は、複合装置ＳＱII１の要部縦断側面図であって、その
内、図（Ｂ）には、主リンクの前端部に取り付けたローラ支持枠と巻取りローラ等を示し、図（Ｃ）には、副リンクの前端部に取り付けた矩形キャンバスのフロントバーを示している。
【図３６】  図（Ａ）〜（Ｄ）は、複合装置ＳＱII１の作動過程を示す平面図であって
、コーナー空間部に張り出した出隅キャンバスと、前方へ展開した矩形キャンバスの巻き取り過程を示している。
【図３７】  図（Ａ）、（Ｂ）は、装置先端部のコーナー付近まで矩形キャンバスとそ
の巻取りローラを延長した第２実施例の複合装置ＳＱII２を示す透視図とその平面図である。
【図３８】  図（Ａ）、（Ｂ）は、出隅キャンバスをほぼ三角形状とする第３実施例の
複合装置ＳＱII３を示す透視図と平面図である。
【図３９】  出隅部の一方と他方に向かい合わせた複合装置ＳＱII４の２体を、連動化
したオーニング装置ＷＳＱIV１を示す平面図である。
【図４０】  出隅部のコーナー付近まで矩形キャンバスとその巻取りローラを延長し、
出隅キャンバスを三角キャンバスとする複合装置ＳＱII５の２体を、連動化したオーニング装置ＷＳＱIV２を示す平面図である。
【符号の説明】
【００９７】
Ｓ１ａ〜Ｓ１ｄ、Ｓ２ａ，Ｓ２ｂ、Ｓ３ａ，Ｓ３ｂ、Ｓ３ｃ，Ｓ３ｄ  シングル装置
ＷＳ１ｃ，ＷＳ１ｄ、ＷＳ３ｃ，ＷＳ３ｄ  可動オーニング装置
Ｓ４ａ，Ｓ４ｂ、Ｓ５ａ，Ｓ５ｂ  出隅用オーニング装置
Ｑ  従来装置 Ｑ１，Ｑ２  矩形オーニング装置
Ｎ１  出隅部
Ｇ１，Ｇ２  出隅キャンバス Ｐ１，Ｐ２  矩形キャンバス
ＳＱII１〜３  複合装置 ＷＳＱIV１，２  複合装置
Ｋ１，Ｋ１ａ  横行案内枠
Ｉ１，Ｉ２  Ｉ字アーム Ｌ１，Ｌ２  Ｌ字アーム
Ｆ１，Ｆ１ａ、Ｆ２  ローラ支持枠 Ｊ１〜Ｊ３  巻取りローラ
１１  ローラ本体 １１１、２２３  キャンバス嵌合溝
２１５  案内溝 ２２，２２ａ  スライダー
２２１  フレーム本体 ２３１  小車輪
Ｘ１  キャンバス本体部 Ｘ２  キャンバス張出部
Ｍ１  電動モータ ２８  掛止部
Ｖ１，Ｖ２、Ｖ３，Ｖ４  Ｖ字アーム Ｙ１  Ｙ字アーム
Ｒ１  横行案内レール Ｋ２  ケーシング
Ｒ２  フロントバー Ｔ１，Ｔ２  伸縮アーム
Ｗ１  正面壁 Ｗ２  側面壁
１  キャンバス頂部 ２  キャンバス裾部
３０，３０ａ  巻取りローラ ３１  フロントバー
【図１】
0004817151.tif 000002
【図２】
0004817151.tif 000003
【図３】
0004817151.tif 000004
【図４】
0004817151.tif 000005
【図５】
0004817151.tif 000006
【図６】
0004817151.tif 000007
【図７】
0004817151.tif 000008
【図８】
0004817151.tif 000009
【図９】
0004817151.tif 000010
【図１０】
0004817151.tif 000011
【図１１】
0004817151.tif 000012
【図１２】
0004817151.tif 000013
【図１３】
0004817151.tif 000014
【図１４】
0004817151.tif 000015
【図１５】
0004817151.tif 000016
【図１６】
0004817151.tif 000017
【図１７】
0004817151.tif 000018
【図１８】
0004817151.tif 000019
【図１９】
0004817151.tif 000020
【図２０】
0004817151.tif 000021
【図２１】
0004817151.tif 000022
【図２２】
0004817151.tif 000023
【図２３】
0004817151.tif 000024
【図２４】
0004817151.tif 000025
【図２５】
0004817151.tif 000026
【図２６】
0004817151.tif 000027
【図２７】
0004817151.tif 000028
【図２８】
0004817151.tif 000029
【図３０】
0004817151.tif 000030
【図２９】
0004817151.tif 000031
【図３１】
0004817151.tif 000032
【図３２】
0004817151.tif 000033
【図３３】
0004817151.tif 000034
【図３４】
0004817151.tif 000035
【図３５】
0004817151.tif 000036
【図３６】
0004817151.tif 000037
【図３７】
0004817151.tif 000038
【図３８】
0004817151.tif 000039
【図３９】
0004817151.tif 000040
【図４０】
0004817151.tif 000041